(57)【要約】  移動局により複数のパスロスパラメータを取得する方法が記載される。無線リソース制御（ＲＲＣ）シグナリングメッセージが基地局から受信される。ＲＲＣシグナリングメッセージから第一リファレンス信号に対応する第一伝送電力が取得される。ＲＲＣシグナリングメッセージから第二リファレンス信号に対応する第二伝送電力が取得される。第一伝送電力を用いて第一パスロスパラメータが計算される。第二伝送電力を用いて第二パスロスパラメータが計算される。
2014527727.tif 000002
【特許請求の範囲】
【請求項１】
移動局によりリファレンス信号構成を取得する方法であり、
基地局から第一リファレンス信号に対応するリファレンス信号構成を取得するステップと；
基地局から第二リファレンス信号に対応するリファレンス信号構成を取得するステップと
を含む、方法。
【請求項２】
前記第一リファレンス信号が、第一セル固有リファレンス信号である、請求項１に記載の方法。
【請求項３】
前記第二リファレンス信号が、第二セル固有リファレンス信号である、請求項１に記載の方法。
【請求項４】
前記第二リファレンス信号が、第一チャネル状態情報リファレンス信号（ＣＳＩ−ＲＳ）である、請求項１に記載の方法。
【請求項５】
前記基地局から第三リファレンス信号に対応するリファレンス信号構成を取得するステップであり、前記第三リファレンス信号が、第二チャネル状態情報リファレンス信号（ＣＳＩ−ＲＳ）であるステップをさらに含む、請求項４に記載の方法。
【請求項６】
前記基地局から第三リファレンス信号に対応するリファレンス信号構成を取得するステップであり、前記第三リファレンス信号が、第一チャネル状態情報リファレンス信号（ＣＳＩ−ＲＳ）であるステップをさらに含む、請求項３に記載の方法。
【請求項７】
前記第二リファレンス信号構成が、前記基地局から無線リソース制御（ＲＲＣ）シグナリングメッセージにより受信される、請求項１に記載の方法。
【請求項８】
前記リファレンス信号構成が、前記リファレンス信号の周波数リソースを含む、請求項１に記載の方法。
【請求項９】
前記リファレンス信号構成が、前記リファレンス信号のアンテナポートを含む、請求項１に記載の方法。
【請求項１０】
前記リファレンス信号構成が、前記リファレンス信号の伝送電力を含む、請求項１に記載の方法。
【請求項１１】
前記第一チャネル状態情報リファレンス信号（ＣＳＩ−ＲＳ）の前記リファレンス信号受信電力（ＲＳＲＰ）を測定するステップをさらに含む、請求項４に記載の方法。
【請求項１２】
前記第一チャネル状態情報（ＣＳＩ−ＲＳ）および第二チャネル状態情報リファレンス信号（ＣＳＩ−ＲＳ）の前記リファレンス信号受信電力（ＲＳＲＰ）を測定するステップをさらに含む、請求項５に記載の方法。
【請求項１３】
前記移動局により複数のパスロスパラメータを取得する方法であり、
基地局から第一リファレンス信号に対応する第一伝送電力を取得するステップと；
前記基地局から第二リファレンス信号に対応する第二伝送電力を取得するステップと；
前記第一伝送電力を用いて第一パスロスパラメータを計算するステップと；
前記第二伝送電力を用いて第二パスロスパラメータを計算するステップと
を含む、方法。
【請求項１４】
前記第一リファレンス信号が、第一セル固有リファレンス信号である、請求項１３に記載の方法。
【請求項１５】
前記第二リファレンス信号が、第二セル固有リファレンス信号である、請求項１４に記載の方法。
【請求項１６】
前記第二リファレンス信号が、第一チャネル状態情報リファレンス信号（ＣＳＩ−ＲＳ）である、請求項１３に記載の方法。
【請求項１７】
前記基地局から第三リファレンス信号に対応するリファレンス信号構成を取得し、前記第三伝送電力を用いて第三パスロスパラメータを計算するステップであり、前記第三リファレンス信号が、第二チャネル状態情報リファレンス信号（ＣＳＩ−ＲＳ）であるステップをさらに含む、請求項１６に記載の方法。
【請求項１８】
前記基地局から第三リファレンス信号に対応するリファレンス信号構成を取得するステップであり、前記第三リファレンス信号が、第一チャネル状態情報リファレンス信号（ＣＳＩ−ＲＳ）であるステップをさらに含む、請求項１５に記載の方法。
【請求項１９】
前記第一リファレンス信号の第一受信電力を測定するステップであり、前記第一受信電力が、前記第一パスロスパラメータを計算するために用いられるステップと；
前記第二リファレンス信号の第二受信電力を測定するステップであり、前記第二受信電力が、前記第二パスロスパラメータを計算するために用いられるステップと
をさらに含む、請求項１３に記載の方法。
【請求項２０】
リファレンス信号を取得するために構成される移動局であり、
プロセッサと；
前記プロセッサと電子通信するメモリと；
前記メモリに記憶される命令であり、
基地局から第一リファレンス信号に対応するリファレンス信号構成を取得し；
基地局から第二リファレンス信号に対応するリファレンス信号構成を取得する
ために実行可能である、命令と
を含む、移動局。
【請求項２１】
前記第一リファレンス信号が、第一セル固有リファレンス信号である、請求項２０に記載の移動局。
【請求項２２】
前記第二リファレンス信号が、第二セル固有リファレンス信号である、請求項２０に記載の移動局。
【請求項２３】
前記第二リファレンス信号が、第一チャネル状態情報リファレンス信号（ＣＳＩ−ＲＳ）である、請求項２０に記載の移動局。
【請求項２４】
基地局から第三リファレンス信号に対応するリファレンス信号構成を取得するステップであり、前記第三リファレンス信号が、第二チャネル状態情報リファレンス信号（ＣＳＩ−ＲＳ）であるステップをさらに含む、請求項２３に記載の移動局。
【請求項２５】
基地局から第三リファレンス信号に対応するリファレンス信号構成を取得するステップであり、前記第三リファレンス信号が、第一チャネル状態情報リファレンス信号（ＣＳＩ−ＲＳ）であるステップをさらに含む、請求項２２に記載の移動局。
【請求項２６】
前記第二リファレンス信号構成が、前記基地局からの無線リソース制御（ＲＲＣ）シグナリングメッセージにより受信される、請求項２０に記載の移動局。
【請求項２７】
前記リファレンス信号構成が、前記リファレンス信号の周波数リソースを含む、請求項２０に記載の移動局。
【請求項２８】
前記リファレンス信号構成が、前記リファレンス信号のアンテナポートを含む、請求項２０に記載の移動局。
【請求項２９】
前記リファレンス信号構成が、前記リファレンス信号の伝送電力を含む、請求項２０に記載の移動局。
【請求項３０】
前記第一チャネル状態情報リファレンス信号（ＣＳＩ−ＲＳ）の前記リファレンス信号受信電力（ＲＳＲＰ）を測定するステップをさらに含む、請求項２３に記載の移動局。
【請求項３１】
前記第一チャネル状態情報（ＣＳＩ−ＲＳ）および第二チャネル状態情報リファレンス信号（ＣＳＩ−ＲＳ）の前記リファレンス信号受信電力（ＲＳＲＰ）を測定するステップをさらに含む、請求項２４に記載の移動局。
【請求項３２】
複数のパスロスパラメータを取得するために構成される移動局であり、
プロセッサと；
前記プロセッサと電子通信するメモリと；
前記メモリに記憶される命令であり、
基地局デバイスから第一リファレンス信号に対応する第一伝送電力を取得し；
基地局デバイス第二リファレンス信号に対応する第二伝送電力を取得し；
前記第一伝送電力を用いて第一パスロスパラメータを計算し；
前記第二伝送電力を用いて第二パスロスパラメータを計算する
ために実行可能である、命令と
を含む、移動局。
【請求項３３】
前記第一リファレンス信号が、第一セル固有リファレンス信号である、請求項３２に記載の移動局。
【請求項３４】
前記第二リファレンス信号が、第二セル固有リファレンス信号である、請求項３３に記載の移動局。
【請求項３５】
前記第二リファレンス信号が、第一チャネル状態情報リファレンス信号（ＣＳＩ−ＲＳ）である、請求項３２に記載の移動局。
【請求項３６】
前記基地局から第三リファレンス信号に対応するリファレンス信号構成を取得し、前記第三伝送電力を用いて第三パスロスパラメータを計算するステップであり、前記第三リファレンス信号が、第二チャネル状態情報リファレンス信号（ＣＳＩ−ＲＳ）であるステップをさらに含む、請求項３５に記載の移動局。
【請求項３７】
前記基地局から第三リファレンス信号に対応するリファレンス信号構成を取得するステップであり、前記第三リファレンス信号が、第一チャネル状態情報リファレンス信号（ＣＳＩ−ＲＳ）であるステップをさらに含む、請求項３４に記載の移動局。
【請求項３８】
前記命令が、
前記第一リファレンス信号の第一受信電力を測定する
ためにさらに実行可能であり、
前記第一受信電力を用いて前記第一パスロスパラメータが計算され；
前記命令が、
前記第二リファレンス信号の第二受信電力を測定する
ためにさらに実行可能であり、
前記第二受信電力を用いて前記第二パスロスパラメータが計算される、
請求項３２に記載の移動局。
【請求項３９】
基地局によりリファレンス信号構成を送信する方法であり、
第一リファレンス信号に対応するリファレンス信号構成を移動局に送信するステップと；
第二リファレンス信号に対応するリファレンス信号構成を前記移動局に送信するステップと
を含む、方法。
【請求項４０】
前記第一リファレンス信号が、第一セル固有リファレンス信号である、請求項３９に記載の方法。
【請求項４１】
前記第二リファレンス信号が、第二セル固有リファレンス信号である、請求項３９に記載の方法。
【請求項４２】
前記第二リファレンス信号が、第一チャネル状態情報リファレンス信号（ＣＳＩ−ＲＳ）である、請求項３９に記載の方法。
【請求項４３】
前記基地局から第三リファレンス信号に対応するリファレンス信号構成を取得するステップであり、前記第三リファレンス信号が、第二チャネル状態情報リファレンス信号（ＣＳＩ−ＲＳ）であるステップをさらに含む、請求項４２に記載の方法。
【請求項４４】
前記基地局から第三リファレンス信号に対応するリファレンス信号構成を取得するステップであり、前記第三リファレンス信号が、第一チャネル状態情報リファレンス信号（ＣＳＩ−ＲＳ）であるステップをさらに含む、請求項４１に記載の方法。
【請求項４５】
前記第二リファレンス信号構成が、前記基地局からの無線リソース制御（ＲＲＣ）シグナリングメッセージにより受信される、請求項３９に記載の方法。
【請求項４６】
前記リファレンス信号構成が、前記リファレンス信号の周波数リソースを含む、請求項３９に記載の方法。
【請求項４７】
前記リファレンス信号構成が、前記リファレンス信号のアンテナポートを含む、請求項３９に記載の方法。
【請求項４８】
前記リファレンス信号構成が、前記リファレンス信号の伝送電力を含む、請求項３９に記載の方法。
【請求項４９】
基地局により電力配分パラメータをシグナリングする方法であり、
ユーザ機器に第一リファレンス信号に対応する第一伝送電力を送信するステップと；
前記ユーザ機器に第二リファレンス信号に対応する第二伝送電力を送信するステップと
を含む、方法。
【請求項５０】
前記第一リファレンス信号が、第一セル固有リファレンス信号である、請求項４９に記載の方法。
【請求項５１】
前記第二リファレンス信号が、第二セル固有リファレンス信号である、請求項５０に記載の方法。
【請求項５２】
前記第二リファレンス信号伝送電力が、チャネル状態情報リファレンス信号（ＣＳＩ−ＲＳ）である、請求項４９に記載の方法。
【請求項５３】
第三リファレンス信号に対応するリファレンス信号構成を前記移動局に送信するステップであり、前記第三リファレンス信号が、第二チャネル状態情報リファレンス信号（ＣＳＩ−ＲＳ）であるステップをさらに含む、請求項５２に記載の方法。
【請求項５４】
第三リファレンス信号に対応するリファレンス信号構成を前記移動局に送信するステップであり、前記第三リファレンス信号が、第一チャネル状態情報リファレンス信号（ＣＳＩ−ＲＳ）であるステップをさらに含む、請求項５１に記載の方法。
【請求項５５】
リファレンス信号構成を送信するために構成される装置であり、
プロセッサと；
前記プロセッサと電子通信するメモリと；
前記メモリに記憶される命令であり、
第一リファレンス信号に対応するリファレンス信号構成を移動局に送信し；
第二リファレンス信号に対応するリファレンス信号構成を前記移動局に送信する
ために実行可能である、命令と
を含む、装置。
【請求項５６】
前記第一リファレンス信号が、第一セル固有リファレンス信号である、請求項５５に記載の装置。
【請求項５７】
前記第二リファレンス信号が、第二セル固有リファレンス信号である、請求項５５に記載の装置。
【請求項５８】
前記第二リファレンス信号が、第一チャネル状態情報リファレンス信号（ＣＳＩ−ＲＳ）である、請求項５５に記載の装置。
【請求項５９】
第三リファレンス信号に対応するリファレンス信号構成を前記移動局に送信するステップであり、前記第三リファレンス信号が、第二チャネル状態情報リファレンス信号（ＣＳＩ−ＲＳ）であるステップをさらに含む、請求項５８に記載の装置。
【請求項６０】
第三リファレンス信号に対応するリファレンス信号構成を前記移動局に送信するステップであり、前記第三リファレンス信号が、第一チャネル状態情報リファレンス信号（ＣＳＩ−ＲＳ）であるステップをさらに含む、請求項５７に記載の装置。
【請求項６１】
前記第二リファレンス信号構成が、無線リソース制御（ＲＲＣ）シグナリングメッセージにより前記ユーザ機器に送信される、請求項５５に記載の装置。
【請求項６２】
前記リファレンス信号構成が、前記リファレンス信号の周波数リソースを含む、請求項５５に記載の装置。
【請求項６３】
前記リファレンス信号構成が、前記リファレンス信号のアンテナポートを含む、請求項５５に記載の装置。
【請求項６４】
前記リファレンス信号構成が、前記リファレンス信号の伝送電力を含む、請求項５５に記載の装置。
【請求項６５】
電力配分パラメータをシグナリングするために構成される装置であり、
プロセッサと；
前記プロセッサと電子通信するメモリと；
前記メモリに記憶される命令であり、
ユーザ機器に第一リファレンス信号に対応する第一伝送電力を送信し；
前記ユーザ機器に第二リファレンス信号に対応する第二伝送電力を送信する
ために実行可能である、命令と
を含む、装置。
【請求項６６】
前記第一リファレンス信号が、第一セル固有リファレンス信号である、請求項６５に記載の装置。
【請求項６７】
前記第二リファレンス信号が、第二セル固有リファレンス信号である、請求項６６に記載の装置。
【請求項６８】
前記第二リファレンス信号が、チャネル状態情報リファレンス信号（ＣＳＩ−ＲＳ）である、請求項６５に記載の装置。
【請求項６９】
前記移動局に第三リファレンス信号に対応するリファレンス信号構成を送信するステップであり、前記第三リファレンス信号が、第二チャネル状態情報リファレンス信号（ＣＳＩ−ＲＳ）であるステップをさらに含む、請求項６８に記載の装置。
【請求項７０】
前記移動局に第三リファレンス信号に対応するリファレンス信号構成を送信するステップであり、前記第三リファレンス信号が、第一チャネル状態情報リファレンス信号（ＣＳＩ−ＲＳ）であるステップをさらに含む、請求項６７に記載の方法。
【請求項７１】
前記装置が、基地局である、請求項６５に記載の装置。
【発明の詳細な説明】
【技術分野】
【０００１】
本発明は、概してワイヤレス通信およびワイヤレス通信関連技術に関する。特に本発明は、アップリンク複数ポイント協調（ＣｏＭＰ；ｃｏｏｒｄｉｎａｔｅｄ  ｍｕｌｔｉｐｏｉｎｔ）のために電力配分パラメータをシグナリングするシステムおよび方法に関する。
【背景技術】
【０００２】
ワイヤレス通信デバイスは、消費者のニーズを満たし、携帯性および利便性を高めるために、より小型で強力になっている。消費者はワイヤレス通信デバイスに依存するようになり、信頼できるサービス、カバレッジエリアの拡大、機能性の増大を期待するようになっている。ワイヤレス通信システムは、複数のセルに通信を提供することができ、各セルに基地局が対応することができる。基地局は、移動局と通信する固定局とすることができる。
【０００３】
ワイヤレス通信の効率および質を高めるために、ワイヤレス通信システムにおいて様々な信号処理技術が利用されればよい。例えばワイヤレス通信デバイスは、アップリンク制御情報（ＵＣＩ；ｕｐｌｉｎｋ  ｃｏｎｔｒｏｌ  ｉｎｆｏｒｍａｔｉｏｎ）を基地局に報告することができる。基地局はこのアップリンク制御情報（ＵＣＩ）を用いて、ワイヤレス通信デバイスへのダウンリンク伝送のために適切な伝送モード、伝送スキームならびに変調および符号化スキームを選択することができる。
【０００４】
複数ポイント協調（ＣｏＭＰ）の利用は、ロングタームエボリューション（ＬＴＥ；Ｌｏｎｇ  Ｔｅｒｍ  Ｅｖｏｌｕｔｉｏｎ）Ｒｅｌｅａｓｅ  １１の大きな機能強化と考えられる。複数ポイント協調（ＣｏＭＰ）の利用の改善により、利益が実現されるであろう。
【発明の概要】
【課題を解決するための手段】
【０００５】
本発明の一実施形態は、移動局によりリファレンス信号構成を取得する方法を開示する。当該方法には、基地局から第一リファレンス信号に対応するリファレンス信号構成を取得するステップと、基地局から第二リファレンス信号に対応するリファレンス信号構成を取得するステップとが含まれる。
【０００６】
本発明の別の実施形態は、移動局により複数のパスロスパラメータを取得する方法を開示する。当該方法には、基地局から第一リファレンス信号に対応する第一伝送電力を取得するステップと；当該基地局から第二リファレンス信号に対応する第二伝送電力を取得するステップと；第一伝送電力を用いて第一パスロスパラメータを計算するステップと；第二伝送電力を用いて第二パスロスパラメータを計算するステップとが含まれる。
【０００７】
本発明の別の実施形態は、リファレンス信号を取得するために構成される移動局を開示する。当該移動局は、プロセッサと、当該プロセッサと電子通信するメモリと、当該メモリに記憶される命令であり、基地局から第一リファレンス信号に対応するリファレンス信号構成を取得し、基地局から第二リファレンス信号に対応するリファレンス信号構成を取得するために実行可能である命令とを含む。
【０００８】
本発明の別の実施形態は、複数のパスロスパラメータを取得するために構成される移動局を開示する。当該移動局は、プロセッサと、当該プロセッサと電子通信するメモリと、当該メモリに記憶される命令であり、基地局デバイスから第一リファレンス信号に対応する第一伝送電力を取得し、基地局デバイス第二リファレンス信号に対応する第二伝送電力を取得し、第一伝送電力を用いて第一パスロスパラメータを計算し、第二伝送電力を用いて第二パスロスパラメータを計算するために実行可能である命令とを含む。
【０００９】
本発明の別の実施形態は、基地局によりリファレンス信号構成を送信する方法を開示する。当該方法には、第一リファレンス信号に対応するリファレンス信号構成を移動局に送信するステップと、第二リファレンス信号に対応するリファレンス信号構成を移動局に送信するステップとが含まれる。
【００１０】
本発明の別の実施形態は、基地局により電力配分パラメータをシグナリングする方法を開示する。当該方法には、第一リファレンス信号に対応する第一伝送電力をユーザ機器に送信するステップと、第二リファレンス信号に対応する第二伝送電力をユーザ機器に送信するステップとが含まれる。
【００１１】
本発明の別の実施形態は、リファレンス信号構成を送信するために構成される装置を開示する。当該装置は、プロセッサと、当該プロセッサと電子通信するメモリと、当該メモリに記憶される命令であり、第一リファレンス信号に対応するリファレンス信号構成を移動局に送信し、第二リファレンス信号に対応するリファレンス信号構成を移動局に送信するために実行可能である命令とを含む。
【００１２】
本発明の別の実施形態は、電力配分パラメータをシグナリングするために構成される装置を開示する。当該装置は、プロセッサと、当該プロセッサと電子通信するメモリと、当該メモリに記憶される命令であり、第一リファレンス信号に対応する第一伝送電力をユーザ機器に送信し、第二リファレンス信号に対応する第二伝送電力をユーザ機器に送信するために実行可能である命令とを含む。
【００１３】
本発明の前述の目的および他の目的、機能ならびに利点は、以下の本発明の詳細な説明を添付の図面とともに考慮することでより容易に理解される。
【図面の簡単な説明】
【００１４】
【図１】複数ポイント協調（ＣｏＭＰ）を利用することができるワイヤレス通信システムを示したブロック図である。
【図２】アップリンク制御情報（ＵＣＩ）の多重化を用いたワイヤレス通信システムを示したブロック図である。
【図３】サービングｅＮｏｄｅ  Ｂとユーザ機器（ＵＥ；ｕｓｅｒ  ｅｑｕｉｐｍｅｎｔ）との間の無線リソース制御（ＲＲＣ；ｒａｄｉｏ  ｒｅｓｏｕｒｃｅ  ｃｏｎｔｒｏｌ）シグナリングを示したブロック図である。
【図４】ユーザ機器（ＵＥ）と複数の受信ポイントとの間の通信リンクのパスロスパラメータを計算する方法の流れ図である。
【図５】リファレンス信号に対応するパスロスパラメータを計算する方法の流れ図である。
【図６】受信ポイントまたはアンテナポートにより伝送される１つ以上のリファレンス信号に対応するリファレンス信号伝送電力をユーザ機器（ＵＥ）に提供する方法の流れ図である。
【図７】ユーザ機器（ＵＥ）により用いられるレイヤを示したブロック図である。
【図８】１つのｅＮｏｄｅ  Ｂと同じセルＩＤを有する複数ポイント協調（ＣｏＭＰ）ポイントとを備えたワイヤレス通信システムを示したブロック図である。
【図９】１つのｅＮｏｄｅ  Ｂと異なるセルＩＤを有することができる複数ポイント協調（ＣｏＭＰ）ポイントとを備えたワイヤレス通信システムを示したブロック図である。
【図１０】複数のｅＮｏｄｅ  Ｂと異なるセルＩＤを有する複数ポイント協調（ＣｏＭＰ）ポイントとを備えたワイヤレス通信システムを示したブロック図である。
【図１１】ユーザ機器（ＵＥ）において利用されるとよい様々な構成要素を示す。
【図１２】ｅＮｏｄｅ  Ｂにおいて利用されるとよい様々な構成要素を示す。
【発明を実施するための形態】
【００１５】
ユーザ機器（ＵＥ）により複数のパスロスパラメータを取得する方法を記載する。サービングｅＮｏｄｅ  Ｂから無線リソース制御（ＲＲＣ；ｒａｄｉｏ  ｒｅｓｏｕｒｃｅ  ｃｏｎｔｒｏｌ）シグナリングメッセージが受信される。ＲＲＣシグナリングメッセージから第一リファレンス信号に対応する第一伝送電力が取得される。ＲＲＣシグナリングメッセージから第二リファレンス信号に対応する第二伝送電力が取得される。第一伝送電力を用いて第一パスロスパラメータが計算される。第二伝送電力を用いて第二パスロスパラメータが計算される。
【００１６】
第一リファレンス信号は、第一セル固有リファレンス信号とすることができる。第二リファレンス信号は、第二セル固有リファレンス信号とすることができる。第二リファレンス信号は、チャネル状態情報リファレンス信号（ＣＳＩ−ＲＳ；ｃｈａｎｎｅｌ  ｓｔａｔｅ  ｉｎｆｏｒｍａｔｉｏｎ  ｒｅｆｅｒｅｎｃｅ  ｓｉｇｎａｌ）であってもよい。ＣＳＩ−ＲＳは、ＰＤＳＣＨ構成に含まれうる。ＰＤＳＣＨ構成は、２つのＣＳＩ−ＲＳ構成を含んでもよい。ＰＤＳＣＨ構成は、３つ以上のＣＳＩ−ＲＳ構成を含んでもよい。
【００１７】
第一リファレンス信号については第一受信電力が測定されればよい。第一受信電力を用いて、第一パスロスパラメータが計算されればよい。第二リファレンス信号の第二受信電力も測定されればよい。第二受信電力を用いて、第二パスロスパラメータが計算されればよい。アンテナポートにより第二リファレンス信号が伝送されればよい。アンテナポートは、伝送ポイントを含みうる。第一受信電力および第二受信電力は、リファレンス信号受信電力（ＲＳＲＰ；ｒｅｆｅｒｅｎｃｅ  ｓｉｇｎａｌ  ｒｅｃｅｉｖｅｄ  ｐｏｗｅｒｓ）とすることができる。
【００１８】
第一パスロスパラメータおよび第二パスロスパラメータを用いて、複数ポイント受信のアップリンク電力配分が決定されればよい。第一アンテナポートにより第一リファレンス信号が伝送されればよい。第二アンテナポートにより第二リファレンス信号が伝送されればよい。第一パスロスパラメータは、第一アンテナポートとＵＥとの間の通信リンクに対応することができる。第二パスロスパラメータは、第二アンテナポートとＵＥとの間の通信リンクに対応することができる。
【００１９】
複数のパスロスパラメータを取得するために構成されるユーザ機器（ＵＥ）も記載する。ユーザ機器（ＵＥ）は、プロセッサと、当該プロセッサと電子通信するメモリと、当該メモリに記憶される命令とを含む。命令は、サービングｅＮｏｄｅ  Ｂから無線リソース制御（ＲＲＣ）シグナリングメッセージを受信するためにプロセッサにより実行可能である。命令は、ＲＲＣシグナリングメッセージから第一リファレンス信号に対応する第一伝送電力を取得するためにもプロセッサにより実行可能である。命令は、ＲＲＣシグナリングメッセージから第二リファレンス信号に対応する第二伝送電力を取得するためにプロセッサによりさらに実行可能である。命令は、第一伝送電力を用いて第一パスロスパラメータを計算するためにもプロセッサにより実行可能である。命令は、第二伝送電力を用いて第二パスロスパラメータを計算するためにプロセッサによりさらに実行可能である。
【００２０】
サービングｅＮｏｄｅ  Ｂにより電力配分パラメータをシグナリングする方法を記載する。第一リファレンス信号伝送電力と第二リファレンス信号伝送電力とを含む無線リソース制御（ＲＲＣ）シグナリングメッセージが生成される。ＲＲＣシグナリングメッセージがユーザ機器（ＵＥ）に送信される。
【００２１】
第二リファレンス信号伝送電力は、協働ｅＮｏｄｅ  Ｂから受信されればよい。第一リファレンス信号は、第一セル固有リファレンス信号とすることができる。第一アンテナポートにより第一リファレンス信号が伝送されればよい。第二アンテナポートにより第二リファレンス信号が伝送されればよい。第一アンテナポートは、第一受信ポイントを含みうる。第二アンテナポートは、第二受信ポイントを含みうる。
【００２２】
「３ＧＰＰ」とも呼称される第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムのグローバルに適用可能な技術仕様書および技術報告書を定めることを目指す協力合意である。３ＧＰＰは、次世代モバイルネットワーク、システムおよびデバイスのための仕様書を定めうる。
【００２３】
３ＧＰＰロングタームエボリューション（ＬＴＥ）は、ユニバーサル移動体通信システム（ＵＭＴＳ；Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）携帯電話またはデバイス規格を改善して将来的要求に対処するためのプロジェクトに与えられた名称である。一面ではＵＭＴＳは、発展型ユニバーサル地上無線アクセス（Ｅ−ＵＴＲＡ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および発展型ユニバーサル地上無線アクセスネットワーク（Ｅ−ＵＴＲＡＮ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のためのサポートおよび仕様を提供するように修正されている。
【００２４】
本明細書に開示されるシステムおよび方法の少なくとも一部の態様は、３ＧＰＰ  ＬＴＥおよびＬＴＥ−Ａｄｖａｎｃｅｄ規格（例えばＲｅｌｅａｓｅ−８、Ｒｅｌｅａｓｅ−９、Ｒｅｌｅａｓｅ−１０およびＲｅｌｅａｓｅ−１１）に関して記載されうる。しかし、本開示の範囲は、この点に関して制限されてはならない。本明細書に開示されるシステムおよび方法の少なくとも一部の態様は、他のタイプのワイヤレス通信システムで利用されてもよい。
【００２５】
ＬＴＥ  Ｒｅｌｅａｓｅ−１１では、複数ポイント協調（ＣｏＭＰ）伝送および受信の利用は大きな機能強化である。複数ポイント協調（ＣｏＭＰ）伝送においては、ユーザ機器（ＵＥ）が、地理的に分離された複数のアンテナ（本明細書においてポイントと称する）からダウンリンク信号を受信することが可能である。ポイントは、地理的に同じ位置に配置されたアンテナのセットとすることができる。ポイントは、サイトとも呼称される。ポイントは、同じ基地局または異なる基地局に配置または接続されればよい。さらに、ユーザ機器（ＵＥ）によるアップリンク伝送が複数のポイントにより受信されればよい。ユーザ機器（ＵＥ）へのダウンリンクで伝送するポイントは、伝送ポイントとも呼称される。ユーザ機器（ＵＥ）からのアップリンクで伝送を受信するポイントは、受信ポイントとも呼称される。
【００２６】
ポイントは、伝送および受信の両方が可能である。一般に「ポイント」とは、伝送ポイントおよび受信ポイントの両方をさす。所与のユーザ機器（ＵＥ）への伝送およびユーザ機器（ＵＥ）からの受信に同じポイントのセットを使用する必要はない。（ユーザ機器（ＵＥ）への）ダウンリンク伝送に関与するポイントのサブセットは、（ユーザ機器（ＵＥ）からの）アップリンク受信に関与するポイントのサブセットと同じでも異なっても良い。同じサイトのセクタは、異なるポイントに対応することができる。ダウンリンク伝送またはアップリンク受信に関わるポイントのセットは、サブフレームごとに変化することができる。ユーザ機器（ＵＥ）は、サービングポイント（単数または複数）と呼称される１つのポイントまたはポイントのセットから物理報知チャネル（ＰＢＣＨ；ｐｈｙｓｉｃａｌ  ｂｒｏａｄｃａｓｔ  ｃｈａｎｎｅｌ）を受信することができる。サービングポイントは、Ｒｅｌ−８のサービングセルとすることができる。
【００２７】
ユーザ機器（ＵＥ）は、制御シグナリングポイント（単数または複数）と呼称されるポイントまたはポイントのセットからＵＥ固有の制御も受信することができる。制御シグナリングポイントは、Ｒｅｌ−８のサービングセルとすることができる。特定のユーザ機器（ＵＥ）への物理ダウンリンクシェアドチャネル（ＰＤＳＣＨ）伝送に使用されるポイントは、ユーザ機器（ＵＥ）のサービングポイント（単数または複数）および制御シグナリングポイント（単数または複数）と同じでも同じでなくても良い。制御シグナリングポイントのセットおよびサービングポイントのセットは、異なるポイントのセットをさす。制御シグナリングポイントのセットおよびサービングポイントのセットの両方に含まれるいくつかのポイントが存在することができる。
【００２８】
各ポイントからユーザ機器（ＵＥ）へのダウンリンク伝送を協調させることにより、ダウンリンク性能を有意に向上させうる。同様に、複数の受信ポイントのアップリンク受信を協調させることにより、アップリンク性能の有意な改善を達成できる。複数ポイント協調（ＣｏＭＰ）伝送においては、各協調セルのチャネル状態情報（ＣＳＩ；ｃｈａｎｎｅｌ  ｓｔａｔｅ  ｉｎｆｏｒｍａｔｉｏｎ）は、Ｒｅｌｅａｓｅ−１０と同じフォーマットまたは新規のフォーマットで別々または一緒に報告されればよい。
【００２９】
複数ポイント協調（ＣｏＭＰ）伝送および／または受信の使用により、ＬＴＥワイヤレスブロードバンドネットワークおよび３Ｇネットワークの一貫したサービス品質およびスループットを確保しながら、アップリンクおよびダウンリンクデータ伝送速度を高めうる。アップリンクおよびダウンリンクの両方で複数ポイント協調（ＣｏＭＰ）伝送および／または受信が使用されればよい。
【００３０】
図１は、複数ポイント協調（ＣｏＭＰ）を利用することができるワイヤレス通信システム１００を示したブロック図である。ワイヤレス通信システム１００は、システムアーキテクチャエボリューション１０１の一部としてサービングｅＮｏｄｅ  Ｂ１０２ａおよび協働ｅＮｏｄｅ  Ｂ１０２ｂを含みうる。システムアーキテクチャエボリューション１０１は、ＧＰＲＳコアネットワークに代わるように設計されたフラットなＩＰベースのネットワークアーキテクチャである。一構成においては、システムアーキテクチャエボリューション１０１は、コアネットワークとも呼称される。ｅＮｏｄｅ  Ｂ１０２は、複数のアンテナを含みうる物理構造である。アンテナのいくつかはｅＮｏｄｅ  Ｂ１０２と同じ位置に配置され、他のアンテナはｅＮｏｄｅ  Ｂ１０２から地理的に分離されてもよい。同じ位置に配置されたアンテナおよび地理的に分離されたアンテナは、いずれもポイント１１０とも呼称される。ポイント１１０ａ〜ｂの一部はサービングｅＮｏｄｅ  Ｂ１０２ａに関連し、他のポイント１１０ｃは協働ｅＮｏｄｅ  Ｂ１０２ｂに関連することができる。ｅＮｏｄｅ  Ｂ１０２は、ポイント１１０を用いてユーザ機器（ＵＥ）１０４へのダウンリンク１０６伝送およびユーザ機器（ＵＥ）１０４からのアップリンク１０８受信を協調させうる。ポイント１１０ｃが協働ｅＮｏｄｅ  Ｂ１０２ｂに接続されている場合には、協働ｅＮｏｄｅ  Ｂ１０２ｂをサービングｅＮｏｄｅ  Ｂ１０２ａに接続するバックホールインタフェース１４４が存在してもよい。
【００３１】
ポイント１１０は、基地局に関連するアンテナとすることができる。基地局は、アクセスポイント、Ｎｏｄｅ  Ｂ、ｅＮｏｄｅ  Ｂまたは他の何らかの用語でも呼称される。ポイント１１０は基地局と同じ位置に配置されてもよいし、基地局と地理的に分離されてもよい。同様に、ユーザ機器（ＵＥ）１０４は、移動局、加入者局、アクセス端末、遠隔局、ユーザ端末、端末、ハンドセット、加入者ユニット、ワイヤレス通信デバイスまたは他の何らかの用語でも呼称される。
【００３２】
アップリンク１０８とダウンリンク１０６とを含むワイヤレスリンクによる伝送を用いて、ユーザ機器（ＵＥ）１０４とｅＮｏｄｅ  Ｂ１０２との間の通信が達成されればよい。アップリンク１０８とは、ユーザ機器（ＵＥ）１０４からシステムアーキテクチャエボリューション１０１のデバイス（すなわちｅＮｏｄｅ  Ｂ１０２）に送信される通信をいう。ダウンリンク１０６とは、システムアーキテクチャエボリューション１０１（すなわちｅＮｏｄｅ  Ｂ１０２）からユーザ機器（ＵＥ）１０４に送信される通信をいう。ｅＮｏｄｅ  Ｂ１０２は、ダウンリンク１０６信号をユーザ機器（ＵＥ）１０４に送信し、ユーザ機器（ＵＥ）１０４からアップリンク１０８信号を受信するために、ポイント１１０の異なる組み合わせを用いうる。
【００３３】
一般に、通信リンクは、単入力単出力（ＳＩＳＯ；ｓｉｎｇｌｅ−ｉｎｐｕｔ  ａｎｄ  ｓｉｎｇｌｅ−ｏｕｔｐｕｔ）、多入力単出力（ＭＩＳＯ；ｍｕｌｔｉｐｌｅ−ｉｎｐｕｔ  ａｎｄ  ｓｉｎｇｌｅ−ｏｕｔｐｕｔ）、単入力多出力（ＳＩＭＯ；ｓｉｎｇｌｅ−ｉｎｐｕｔ  ａｎｄ  ｍｕｌｔｉｐｌｅ−ｏｕｔｐｕｔ）、または多入力多出力（ＭＩＭＯ；ｍｕｌｔｉｐｌｅ−ｉｎｐｕｔ  ａｎｄ  ｍｕｌｔｉｐｌｅ−ｏｕｔｐｕｔ）システムを用いて確立されればよい。ＭＩＭＯシステムは、複数の伝送および受信アンテナを備えた伝送器および受信器の両方を含みうる。したがって、基地局は複数のアンテナ（またはポイント１１０）を有し得、ユーザ機器（ＵＥ）１０４は複数のアンテナ（図示せず）を有することができる。このようにして、基地局およびユーザ機器（ＵＥ）１０４がそれぞれＭＩＭＯシステムにおいて伝送器または受信器として動作することができる。ＭＩＭＯシステムの一つの利点は、複数の伝送および受信アンテナにより生成される追加の次元が利用された場合の性能の向上である。
【００３４】
３ＧＰＰ  Ｒｅｌｅａｓｅ−１０  ＬＴＥ−Ａｄｖａｎｃｅｄでは、ＭＩＭＯおよびキャリアアグリゲーションに対応するために制御チャネルにより追加の制御フィードバックが送信されればよい。キャリアアグリゲーションとは、隣接または離間して配置された複数のコンポーネントキャリア（ＣＣ；ｃｏｍｐｏｎｅｎｔ  ｃａｒｒｉｅｒｓ）（またはセル）によるデータ伝送をいう。
【００３５】
本明細書で使用されるところのサービングポイント１１０（またはサービングポイント１１０のセット）は、ユーザ機器（ＵＥ）１０４にサービス（すなわち物理報知チャネル（ＰＢＣＨ）を提供することにより）する１つ以上のポイント１１０をさす。複数のサービングポイント１１０が、本明細書においては簡単にするため、存在することができるが１つのサービングポイント１１０だけに言及する。複数のポイント１１０から１つのユーザ機器（ＵＥ）１０４へのダウンリンク１０６伝送は、複数ポイント協調（ＣｏＭＰ）伝送動作とも呼称される。ユーザ機器（ＵＥ）１０４から複数のポイント１１０へのアップリンク１０８伝送は、複数ポイント協調（ＣｏＭＰ）受信動作とも呼称される。
【００３６】
ユーザ機器（ＵＥ）１０４に複数ポイント協調（ＣｏＭＰ）信号を伝送する全てのポイント１１０（サービングポイント１１０を含む）が、ＣｏＭＰ伝送ポイント１１０または伝送ポイント１１０とも呼称される。ユーザ機器（ＵＥ）１０４から複数ポイント協調（ＣｏＭＰ）信号を受信する全てのポイント１１０が、ＣｏＭＰ受信ポイント１１０または受信ポイント１１０とも呼称される。ポイント１１０が受信ポイント１１０として使用される場合、ユーザ機器（ＵＥ）１０４が受信ポイント１１０により受信されるアップリンク１０８信号を伝送する前に、ポイント１１０がユーザ機器（ＵＥ）１０４へのダウンリンク１０６によりリファレンス信号を伝送することができる。ポイント１１０の各々は、リファレンス信号伝送電力１１４ａ〜ｃを用いてリファレンス信号をユーザ機器（ＵＥ）１０４に伝送することができる。
【００３７】
ポイント１１０により異なるタイプのリファレンス信号が使用されてもよい。例えば、ポイント１１０は、セル固有リファレンス信号（ＣＲＳ；ｃｅｌｌ−ｓｐｅｃｉｆｉｃ  ｒｅｆｅｒｅｎｃｅ  ｓｉｇｎａｌｓ）、マルチメディアブロードキャスト単一周波数ネットワーク（ＭＢＳＦＮ；ｍｕｌｔｉｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ）リファレンス信号、ユーザ機器（ＵＥ）固有リファレンス信号（例えば復調リファレンス信号（ＤＭ−ＲＳ；ｄｅｍｏｄｕｌａｔｉｏｎ  ｒｅｆｅｒｅｎｃｅ  ｓｉｇｎａｌ））、ポジショニングリファレンス信号（ＰＲＳ；ｐｏｓｉｔｉｏｎｉｎｇ  ｒｅｆｅｒｅｎｃｅ  ｓｉｇｎａｌ）およびチャネル状態情報リファレンス信号（ＣＳＩ−ＲＳ）を使用することができる。３ＧＰＰのＲｅｌｅａｓｅ  １０では、ダウンリンク１０６アンテナポート毎に１つのリファレンス信号が伝送される。
【００３８】
アンテナポートは、アンテナポート上のシンボルを伝達するチャネルが、同じアンテナポート上の別のシンボルを伝達するチャネルから推測されうるように定義されればよい。アンテナポート毎に１つのリソースグリッド（時間−周波数）があればよい。
【００３９】
周波数帯域幅は、等しい帯域幅を有するサブキャリアに分割されればよい。サブキャリアのセットは、ＳＣ＝｛ｓｃ１，ｓｃ２，…，ｓｃｋ｝で表されればよい。時間は、シンボル期間として知られる等しい長さの間隔に分けられうる。３ＧＰＰのＲｅｌｅａｓｅ  ８以降のリリースでは、時間−周波数リソースグリッドの持続時間は０．５ミリ秒（ｍｓ）である（スロットと呼称される）。時間間隔のセットは、Ｔ＝｛Ｔ１，Ｔ２，…，ＴＬ｝で表されればよい。したがって周波数−時間リソースグリッドは、直積集合ＳＣｘＴ＝｛（ｓｃｋ，Ｔｌ），ｋ＝１，…，Ｋおよびｌ＝１，…，Ｌ｝と定義されればよい。
【００４０】
ユーザ機器（ＵＥ）１０４へのリファレンス信号の伝送に関与するポイント１１０は、複数ポイント協調（ＣｏＭＰ）測定セットに帰属することができる。複数ポイント協調（ＣｏＭＰ）測定セットは、ユーザ機器（ＵＥ）１０４へのリンクに関係するチャネル状態／統計情報が測定および／または報告されるポイント１１０のセットとして定義されればよい。ダウンリンク１０６におけるリファレンス信号の伝送は、複数ポイント協調（ＣｏＭＰ）伝送設定で生じても生じなくてもよい。
【００４１】
ポイント１１０は、ユーザ機器（ＵＥ）１０４にトランスペアレントとすることができる。ユーザ機器（ＵＥ）１０４にはアンテナポートが識別可能である。アンテナポートは、１つのポイント１１０のアンテナもしくはアンテナのセット、または異なるポイント１１０のアンテナのセットに帰属することができる。しかし、ｅＮｏｄｅ  Ｂ１０２から見るとポイントが識別可能である。したがって、ポイント１１０からユーザ機器（ＵＥ）１０４への伝送では、ｅＮｏｄｅ  Ｂ１０２から見ると、伝送に関与する全てのアンテナポートが同じポイント１１０に帰属する。
【００４２】
本明細書において用いられるところの協働セットは、時間−周波数リソースでのユーザ機器（ＵＥ）１０４へのデータ伝送および／または時間−周波数リソースでのユーザ機器（ＵＥ）１０４からのデータ受信に直接および／または間接的に関与する地理的に分離されたポイント１１０のセットをさす。伝送および／または受信ポイント１１０のセットは、協働セットのサブセットである。協働セットは、ユーザ機器（ＵＥ）１０４にトランスペアレントであってもなくてもよい。
【００４３】
ユーザ機器（ＵＥ）１０４は、アップリンク電力配分モジュール１１８を含みうる。ＬＴＥ  Ｒｅｌｅａｓｅ  ８〜１０においては、式（１）に基づいてアップリンク電力が計算される。
【００４４】
【数１】
2014527727.tif 000003
【００４５】
式（１）中、ＰＬｃは、リファレンス信号が伝送されるアンテナポートとユーザ機器（ＵＥ）１０４と間のパスロスパラメータ１２２である。パスロスパラメータＰＬｃ１２２は、ユーザ機器（ＵＥ）１０４で計算されればよい。複数ポイント協調（ＣｏＭＰ）伝送および複数ポイント協調（ＣｏＭＰ）受信等の通信モードでは、複数のポイント１１０が同時にユーザ機器（ＵＥ）１０４と通信することができる。これらのポイント１１０は、同一の基地局と同じ物理的位置に配置されなくてもよい。例えば、サービングｅＮｏｄｅ  Ｂとは異なる基地局によりポイント１１０ｂ〜ｃの各々が制御されればよい。
【００４６】
パスロスパラメータＰＬｃ１２２を計算するためには、ユーザ機器（ＵＥ）１０４は各ポイント１１０またはアンテナポートにより伝送されるリファレンス信号の伝送電力を必要とするであろう。一方、Ｒｅｌｅａｓｅ  １０以前を用いた場合には、ユーザ機器（ＵＥ）１１０は１つのセル固有リファレンス信号（ＣＲＳ）のリファレンス信号伝送電力１４６ｂだけを受信することができる。Ｒｅｌｅａｓｅ  ８では、ユーザ機器（ＵＥ）１０４は、セル固有リファレンス信号（ＣＲＳ）構成、セル固有リファレンス信号（ＣＲＳ）伝送電力１４６ｂ、および２つのチャネル状態情報リファレンス信号（ＣＳＩ−ＲＳ）構成の構成についての知識を有することができる（しかしその伝送電力についての知識は有しない）。
【００４７】
複数ポイント協調（ＣｏＭＰ）受信では、ユーザ機器（ＵＥ）１０４は、（複数のポイント１１０またはアンテナポートとユーザ機器（ＵＥ）１０４との間のダウンリンクチャネルに対応する）複数のパスロスパラメータ１２２の測定を必要とするであろう。したがって、複数のポイント１１０またはアンテナポートは、追加のリファレンス信号を使用すればよい。
【００４８】
セル固有リファレンス信号（ＣＲＳ）と異なるリファレンス信号がポイント１１０またはアンテナポートにより伝送される場合には、ユーザ機器（ＵＥ）１０４は伝送されるリファレンス信号のリファレンス信号伝送電力１４６ｂを有さず、したがってユーザ機器（ＵＥ）１０４とリファレンス信号を伝送したポイント１１０またはアンテナポートとの間のアップリンク１０８通信リンクのパスロスパラメータＰＬｃ１２２を計算できない。複数の受信ポイント１１０またはアンテナポートのパスロスパラメータＰＬｃ１２２を計算できることで、ユーザ機器（ＵＥ）１０４は、アップリンク伝送電力を調整し、これによりワイヤレス通信システム１００の干渉を減少させ、ワイヤレス通信システム１００の柔軟性を高めてリソースを活用できる。換言すれば、ユーザ機器（ＵＥ）１０４は、電力配分パラメータ（すなわち受信リファレンス信号伝送電力１４６ｂ）を受信し、これらの受信電力配分パラメータをアップリンク複数ポイント協調（ＣｏＭＰ）受信に使用することができる。
【００４９】
アップリンク電力配分モジュール１１８は、受信リファレンス信号の信号強度を測定することができる。各測定値は、リファレンス信号受信電力（ＲＳＲＰ）１２０とすることができる。アップリンク電力配分モジュール１１８は、計算されたパスロスパラメータ１２２も含みうる。
【００５０】
サービングｅＮｏｄｅ  Ｂ１０２ａは、リファレンス信号伝送電力報告モジュール１１６を含みうる。Ｒｅｌｅａｓｅ  ８、Ｒｅｌｅａｓｅ  ９およびＲｅｌｅａｓｅ  １０では、サービングｅＮｏｄｅ  Ｂ１０２ａは、無線リソース制御（ＲＲＣ）シグナリングを介してセル固有リファレンス信号（ＣＲＳ）伝送電力だけをユーザ機器（ＵＥ）１０４に送信することができる。しかし、ポイント１１０またはアンテナポートによりユーザ機器（ＵＥ）１０４に送信される他のリファレンス信号のリファレンス信号伝送電力１１４を送信するための規定は設けられなかった。これに対処するために、リファレンス信号伝送電力報告モジュール１１６は、ユーザ機器（ＵＥ）１０４にリファレンス信号を伝送する他のポイント１１０またはアンテナポートの各々のリファレンス信号伝送電力１４６ａを含みうる。サービングｅＮｏｄｅ  Ｂ１０２ａは、ユーザ機器（ＵＥ）１０４にリファレンス信号を伝送する各ポイント１１０またはアンテナポートからリファレンス信号伝送電力１１４を受信することができる。ポイント１１０ｃがサービングｅＮｏｄｅ  Ｂ１０２ａ上に配置または接続されていない（したがって協働ｅＮｏｄｅ  Ｂ１０２ｂにより制御される）場合には、サービングｅＮｏｄｅ  Ｂ１０２ａは、バックホール１４４シグナリングを介して協働ｅＮｏｄｅ  Ｂ１０２ｂからそのポイント１１０ｃまたはアンテナポートのリファレンス信号伝送電力１１４ｃを受信することができる。
【００５１】
図２は、アップリンク制御情報（ＵＣＩ）の多重化を使用したワイヤレス通信システム２００を示したブロック図である。ｅＮｏｄｅ  Ｂ２０２は、１つ以上のユーザ機器（ＵＥ）２０４とワイヤレス通信することができる。図２のｅＮｏｄｅ  Ｂ２０２は、図１のサービングｅＮｏｄｅ  Ｂ１０２ａまたは協働ｅＮｏｄｅ  Ｂ１０２ｂとすることができる。図２のユーザ機器（ＵＥ）２０４は、図１のユーザ機器（ＵＥ）１０４の一構成とすることができる。
【００５２】
ユーザ機器（ＵＥ）２０４は、１つ以上のアンテナ２９９ａ〜ｎを使用してｅＮｏｄｅ  Ｂ２０２と通信する。ユーザ機器（ＵＥ）２０４は、トランシーバ２１７、デコーダ２２７、エンコーダ２３１および動作モジュール２３３を含みうる。トランシーバ２１７は、受信器２１９および伝送器２２３を含みうる。受信器２１９は、１つ以上のアンテナ２９９ａ〜ｎを使用してｅＮｏｄｅ  Ｂ２０２から信号を受信することができる。例えば、受信器２１９は、復調器２２１を使用して受信信号を受信および復調することができる。伝送器２２３は、１つ以上のアンテナ２９９ａ〜ｎを使用してｅＮｏｄｅ  Ｂ２０２に信号を伝送することができる。例えば伝送器２２３は、変調器２２５を使用して信号を変調し、変調信号を伝送することができる。
【００５３】
受信器２１９は、復調信号をデコーダ２２７に提供することができる。ユーザ機器（ＵＥ）２０４はデコーダ２２７を用いて信号を復号し、ダウンリンク復号結果２２９を生成することができる。ダウンリンク復号結果２２９は、データが正しく受信されたかを示すことができる。例えば、ダウンリンク復号結果２２９は、パケットが正しく受信されたか誤って受信されたか（すなわち肯定応答、否定応答または不連続伝送（無信号））を示すことができる。
【００５４】
動作モジュール２３３はユーザ機器（ＵＥ）２０４の通信を制御するために使用されるソフトウェアおよび／またはハードウェアモジュールとすることができる。例えば、動作モジュール２３３は、ユーザ機器（ＵＥ）２０４がｅＮｏｄｅ  Ｂ２０２と通信するためのリソースを必要とする時を決定することができる。動作モジュール２３３は、上位レイヤ２３５から命令を受信することができる。
【００５５】
ユーザ機器（ＵＥ）２０４は、アップリンクでｅＮｏｄｅ  Ｂ２０２にアップリンク制御情報（ＵＣＩ）を伝送することができる。アップリンク制御情報（ＵＣＩ）は、図１に関して上述したようにチャネル状態情報（ＣＳＩ）報告中のチャネル状態情報（ＣＳＩ）２４１ａを含みうる。アップリンク制御情報（ＵＣＩ）は、物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）または物理アップリンクシェアドチャネル（ＰＵＳＣＨ；ｐｈｙｓｉｃａｌ  ｕｐｌｉｎｋ  ｓｈａｒｅｄ  ｃｈａｎｎｅｌ）上で伝送されればよい。物理アップリンク制御チャネル（ＰＵＣＣＨ）および物理アップリンクシェアドチャネル（ＰＵＳＣＨ）上のアップリンク制御情報（ＵＣＩ）の伝送の構成が、ユーザ機器（ＵＥ）２０４にダウンリンクで伝送されることが必要となるであろう。アップリンクにおけるアップリンク制御情報（ＵＣＩ）伝送の構成／スケジューリングは、物理ダウンリンク制御チャネル（ＰＤＣＣＨ；ｐｈｙｓｉｃａｌ  ｄｏｗｎｌｉｎｋ  ｃｏｎｔｒｏｌ  ｃｈａｎｎｅｌ）上で動的にまたは物理ダウンリンクシェアドチャネル（ＰＤＳＣＨ；ｐｈｙｓｉｃａｌ  ｄｏｗｎｌｉｎｋ  ｓｈａｒｅｄ  ｃｈａｎｎｅｌ）によりユーザ機器（ＵＥ）２０４に伝送される無線リソース制御（ＲＲＣ）シグナリングにより半静的に実行されればよい。アップリンク制御情報（ＵＣＩ）は、ユーザ機器（ＵＥ）２０４からｅＮｏｄｅ  Ｂ２０２に周期的または非周期的に報告されればよい。
【００５６】
アップリンク制御情報（ＵＣＩ）報告モジュール２３７によりチャネル状態情報（ＣＳＩ）２４１ａが生成され、エンコーダ２３１へ転送されればよい。エンコーダ２３１は、後方互換性のある物理アップリンク制御チャネル（ＰＵＣＣＨ）フォーマットおよび物理アップリンクシェアドチャネル（ＰＵＳＣＨ）フォーマットを使用してアップリンク制御情報（ＵＣＩ）を生成することができる。後方互換性のある物理アップリンク制御チャネル（ＰＵＣＣＨ）フォーマットは、Ｒｅｌｅａｓｅ−８／９ユーザ機器（ＵＥ）２０４によってもＲｅｌｅａｓｅ−１０ユーザ機器（ＵＥ）２０４によっても使用されるフォーマットである。
【００５７】
時間および周波数リソースは量子化されて、時間−周波数グリッドとして知られるグリッドが生成されればよい。時間領域では、１０ミリ秒（ｍｓ）が１ラジオフレームと呼称される。１ラジオフレームには、アップリンクおよび／またはダウンリンクの伝送の持続時間である１ｍｓの持続時間をそれぞれ有する１０個のサブフレームが含まれうる。サブフレームはいずれも、０．５ｍｓの持続時間をそれぞれ有する２つのスロットに分割されればよい。各スロットは、７個のシンボルに分割されればよい。周波数領域は、サブキャリアと呼称される１５キロヘルツ（ｋＨｚ）幅を有する帯域に分割されればよい。１つのリソース要素は時間領域で１シンボルの持続時間、周波数領域で１サブキャリアの帯域幅を有する。
【００５８】
任意の所与のサブフレームにおけるアップリンクまたはダウンリンクの情報伝送のために配分されうるリソースの最低量は、２リソースブロック（ＲＢ；ｒｅｓｏｕｒｃｅ  ｂｌｏｃｋ）であり、各スロットで１ＲＢである。１ＲＢは時間領域に０．５ｍｓ（７シンボルまたは１スロット）の持続時間および周波数領域に１２サブキャリア（１８０ｋＨｚ）の帯域幅を有する。任意の所与のサブフレームで、最大２ＲＢ（各スロットで１ＲＢ）が、所与のユーザ機器（ＵＥ）２０４により物理アップリンク制御チャネル（ＰＵＣＣＨ）でのアップリンク制御情報（ＵＣＩ）の伝送に使用されればよい。
【００５９】
ｅＮｏｄｅ  Ｂ２０２は、受信器２０９と伝送器２１３とを含むトランシーバ２０７を含みうる。加えてｅＮｏｄｅ  Ｂ２０２は、デコーダ２０３、エンコーダ２０５および動作モジュール２９４を含みうる。ｅＮｏｄｅ  Ｂ２０２は、複数のアンテナ２９７ａ〜ｎおよび受信器２０９を用いてアップリンク制御情報（ＵＣＩ）を受信することができる。受信器２０９は、復調器２１１を用いてアップリンク制御情報（ＵＣＩ）を復調することができる。
【００６０】
デコーダ２０３は、アップリンク制御情報（ＵＣＩ）受信モジュール２９５を含みうる。ｅＮｏｄｅ  Ｂ２０２は、アップリンク制御情報（ＵＣＩ）受信モジュール２９５を用いてｅＮｏｄｅ  Ｂ２０２が受信したアップリンク制御情報（ＵＣＩ）を復号および解釈することができる。ｅＮｏｄｅ  Ｂ２０２は、復号されたアップリンク制御情報（ＵＣＩ）を用いて、ユーザ機器（ＵＥ）２０４のためにスケジューリングされた通信リソースに基づいて１つ以上のパケットを再伝送するなど、ある動作を実行することができる。アップリンク制御情報（ＵＣＩ）は、チャネル状態情報（ＣＳＩ）２４１ｂを含みうる。
【００６１】
動作モジュール２９４は、再伝送モジュール２９６およびスケジューリングモジュール２９８を含みうる。再伝送モジュール２９６は、アップリンク制御情報（ＵＣＩ）に基づいてどのパケット（あれば）を再伝送するかを決定することができる。スケジューリングモジュール２９８は、通信リソース（例えば帯域幅、時間スロット、周波数チャネル、空間チャネルなど）をスケジューリングするためにｅＮｏｄｅ  Ｂ２０２により用いられうる。スケジューリングモジュール２９８は、アップリンク制御情報（ＵＣＩ）を用いて、ユーザ機器（ＵＥ）２０４に通信リソースをスケジューリングするか（およびいつするか）を決定することができる。
【００６２】
動作モジュール２９４からエンコーダ２０５にデータ２０１が提供されればよい。例えば、データ２０１には、再伝送するパケットおよび／またはユーザ機器（ＵＥ）２０４のためのスケジューリンググラントが含まれうる。データ２０１がエンコーダ２０５により符号化されてから、伝送器２１３に提供されればよい。伝送器２１３は、変調器２１５を用いて符号化されたデータを変調することができる。伝送器２１３は、アンテナ２９７ａ〜ｄを用いて変調データをユーザ機器（ＵＥ）２０４に伝送することができる。
【００６３】
図３は、サービングｅＮｏｄｅ  Ｂ３０２とユーザ機器（ＵＥ）３０４との間の無線リソース制御（ＲＲＣ）シグナリングを示したブロック図である。図３のサービングｅＮｏｄｅ  Ｂ３０２は、図１のサービングｅＮｏｄｅ  Ｂ１０２ａの一構成とすることができる。図３のユーザ機器（ＵＥ）３０４は、図１のユーザ機器（ＵＥ）１０４の一構成とすることができる。サービングｅＮｏｄｅ  Ｂ３０２は、無線リソース制御（ＲＲＣ）シグナリングメッセージ３２４をユーザ機器（ＵＥ）３０４に送信することができる。ユーザ機器（ＵＥ）３０４に無線リソース制御（ＲＲＣ）シグナリングメッセージ３２４を送信するためにサービングｅＮｏｄｅ  Ｂ３０２により使用されるポイント１１０は、本発明のシステムおよび方法の範囲外である。
【００６４】
上述のように、ユーザ機器（ＵＥ）３０４から受信ポイント１１０またはアンテナポートへのアップリンク伝送の前に、受信ポイント１１０は、ユーザ機器（ＵＥ）３０４に既知のリファレンス信号を伝送することができる。ユーザ機器（ＵＥ）３０４は、このリファレンス信号をアップリンク電力配分に使用することができる。異なる受信ポイント１１０により複数の異なるリファレンス信号がユーザ機器（ＵＥ）３０４に送信され、ユーザ機器（ＵＥ）３０４は受信ポイント１１０ごとにパスロスパラメータＰＬｃ１２２を計算することができる。
【００６５】
リファレンス信号受信電力（ＲＳＲＰ）１２０を測定し、パスロスパラメータＰＬｃ１２２を計算するために、ユーザ機器（ＵＥ）３０４により異なるリファレンス信号が使用されればよい。例えば、セル固有リファレンス信号（ＣＲＳ）またはチャネル状態情報リファレンス信号（ＣＳＩ−ＲＳ）が使用されればよい。Ｒｅｌｅａｓｅ  １０の構成（例えば時間−周波数リソース配分、周期性、アンテナポートおよびシーケンス）では、最大２つのチャネル状態情報リファレンス信号（ＣＳＩ−ＲＳ）がユーザ機器（ＵＥ）３０４に送信されればよい。ユーザ機器（ＵＥ）３０４がチャネル状態情報リファレンス信号（ＣＳＩ−ＲＳ）を用いてリファレンス信号受信電力（ＲＳＲＰ）１２０を測定する場合、チャネル状態情報リファレンス信号（ＣＳＩ−ＲＳ）の伝送電力を有することにより、ユーザ機器（ＵＥ）３０４は、チャネル状態情報リファレンス信号（ＣＳＩ−ＲＳ）が伝送されたポイント１１０に対応するパスロスパラメータＰＬｃ１２２を計算することができる。
【００６６】
Ｒｅｌｅａｓｅ  １０では、２つのチャネル状態情報リファレンス信号（ＣＳＩ−ＲＳ）の構成がサポートされる。しかし、３つ以上の受信ポイント１１０またはアンテナポートがある場合には、ユーザ機器（ＵＥ）３０４がリファレンス信号受信電力（ＲＳＲＰ）１２０を測定し受信ポイント１１０またはアンテナポートごとにパスロスパラメータＰＬｃ１２２を計算するために追加のリファレンス信号が必要となるであろう。
【００６７】
Ｒｅｌｅａｓｅ  ８では、ユーザ機器（ＵＥ）３０４は、サービングセルと異なるセルＩＤを有する最大６つの隣接セル（またはポイント１１０）のセル固有リファレンス信号（ＣＲＳ）のシーケンスについての情報を有することができる。Ｒｅｌｅａｓｅ  ８の各隣接セルまたはポイント１１０のリファレンス信号のシーケンスは、そのセルまたはポイントのセルＩＤから導出されればよい。
【００６８】
無線リソース制御（ＲＲＣ）シグナリングメッセージ３２４は、（Ｒｅｌｅａｓｅ  ８以降で用いられる）セル固有リファレンス信号（ＣＲＳ）（例えば第一リファレンス信号、第一セル固有リファレンス信号）の第一セル固有リファレンス信号（ＣＲＳ）伝送電力３２６を含みうる。無線リソース制御（ＲＲＣ）シグナリングメッセージ３２４は、１つ以上のリファレンス信号構成３４８も含みうる。各リファレンス信号構成３４８は、ポイント１１０またはアンテナポートによりユーザ機器（ＵＥ）３０４に伝送される異なるリファレンス信号に対応することができる。リファレンス信号構成３４８は、使用シーケンス３５０、使用アンテナポート３５２、時間／周波数リソース配分３５４、周期性３５６および伝送電力３４６を含みうる。
【００６９】
リファレンス信号構成３４８が対応するリファレンス信号（例えば第二リファレンス信号、第三リファレンス信号）は、チャネル状態情報リファレンス信号（ＣＳＩ−ＲＳ）（例えば第一チャネル状態情報リファレンス信号、第二チャネル状態情報リファレンス信号）または追加のセル固有リファレンス信号（ＣＲＳ）（例えば第二セル固有リファレンス信号）とすることができる。リファレンス信号がチャネル状態情報リファレンス信号（ＣＳＩ−ＲＳ）である場合には、チャネル状態情報リファレンス信号（ＣＳＩ−ＲＳ）のリファレンス信号伝送電力３４６が無線リソース制御（ＲＲＣ）シグナリングメッセージ３２４のＣＳＩ−ＲＳ−Ｃｏｎｆｉｇ情報要素に含まれうる。ＣＳＩ−ＲＳ−Ｃｏｎｆｉｇ情報要素のサンプルコードが以下に与えられる。
【００７０】
−−ＡＳＮ１ＳＴＡＲＴ
ＣＳＩ−ＲＳ−Ｃｏｎｆｉｇ−ｒ１０：：＝ＳＥＱＵＥＮＣＥ｛
ｃｓｉ−ＲＳ−ｒ１０  ＣＨＯＩＣＥ｛
ｒｅｌｅａｓｅ  ＮＵＬＬ，
ｓｅｔｕｐ  ＳＥＱＵＥＮＣＥ｛
ａｎｔｅｎｎａＰｏｒｔｓＣｏｕｎｔ−ｒ１０  ＥＮＵＭＥＲＡＴＥＤ｛ａｎ１，ａｎ２，ａｎ４，ａｎ８｝，
ｒｅｓｏｕｒｃｅＣｏｎｆｉｇ−ｒ１０  ＩＮＴＥＧＥＲ（０．．３１），
ｓｕｂｆｒａｍｅＣｏｎｆｉｇ−ｒ１０  ＩＮＴＥＧＥＲ（０．．１５４），
ｐ−Ｃ−ｒ１０  ＩＮＴＥＧＥＲ（−８．．１５）
｝
｝ＯＰＴＩＯＮＡＬ，−−Ｎｅｅｄ  ＯＮ
ｚｅｒｏＴｘＰｏｗｅｒＣＳＩ−ＲＳ−ｒ１０  ＣＨＯＩＣＥ｛
ｒｅｌｅａｓｅ  ＮＵＬＬ，
ｓｅｔｕｐ  ＳＥＱＵＥＮＣＥ｛
ｚｅｒｏＴｘＰｏｗｅｒＲｅｓｏｕｒｃｅＣｏｎｆｉｇＬｉｓｔ−ｒ１０  ＢＩＴ  ＳＴＲＩＮＧ  （ＳＩＺＥ（１６）），
ｚｅｒｏＴｘＰｏｗｅｒＳｕｂｆｒａｍｅＣｏｎｆｉｇ−ｒ１０  ＩＮＴＥＧＥＲ（０．．１５４）
｝
｝ＯＰＴＩＯＮＡＬ−−Ｎｅｅｄ  ＯＮ
｝
−−ＡＳＮ１ＳＴＯＰ
【００７１】
ＣＳＩ−ＲＳ−Ｃｏｎｆｉｇ情報要素のサンプルコードにおいて、ａｎｔｅｎｎａＰｏｒｔｓＣｏｕｎｔは、チャネル状態情報（ＣＳＩ）リファレンス信号の伝送に使用されるアンテナポートの数を表すパラメータであり、ａｎ１は１つのアンテナポートに対応し、ａｎ２は２つのアンテナポートに対応する、等となる。ＣＳＩ−ＲＳ−Ｃｏｎｆｉｇ情報要素のサンプルコードにおいて、ｐ−ＣはパラメータＰｃをさし、ｒｅｓｏｕｒｃｅＣｏｎｆｉｇはチャネル状態情報（ＣＳＩ）リファレンス信号構成をさす。フィールドｓｕｂｆｒａｍｅＣｏｎｆｉｇはパラメータＩＣＳＩ−ＲＳをさす。
【００７２】
サンプルコードの中には、２つのチャネル状態情報リファレンス信号（ＣＳＩ−ＲＳ）についての情報がある。フィールドＣＳＩ−ＲＳ−Ｃｏｎｆｉｇ−ｒ１０は、ダウンリンクチャネルを測定し、フィードバックするチャネル品質指標（ＣＱＩ；ｃｈａｎｎｅｌ  ｑｕａｌｉｔｙ  ｉｎｄｉｃａｔｏｒ）、ランク指標（ＲＩ；ｒａｎｋ  ｉｎｄｉｃａｔｏｒ）およびプリコーディングマトリクス指標（ＰＭＩ；ｐｒｅｃｏｄｉｎｇ  ｍａｔｒｉｘ  ｉｎｄｉｃａｔｏｒ）等の情報を生成するためにサービングｅＮｏｄｅ  Ｂ１０２ａおよびユーザ機器（ＵＥ）３０４により用いられるチャネル状態情報リファレンス信号（ＣＳＩ−ＲＳ）についての情報を含む。フィールドｚｅｒｏＴｘＰｏｗｅｒＣＳＩ−ＲＳ−ｒ１０は、隣接セルにより使用されるチャネル状態情報リファレンス信号（ＣＳＩ−ＲＳ）についての情報を含む。ｅＮｏｄｅ  Ｂ１０２は、干渉を低減するために、このチャネル状態情報リファレンス信号（ＣＳＩ−ＲＳ）の伝送に配分されるリソース要素にゼロ電力を配分（ミューティング）することができる。
【００７３】
フィールドｚｅｒｏＴｘＰｏｗｅｒＲｅｓｏｕｒｃｅＣｏｎｆｉｇＬｉｓｔは、パラメータＺｅｒｏＰｏｗｅｒＣＳＩ−ＲＳをさす。フィールドｓｕｂｆｒａｍｅＣｏｎｆｉｇ−ｒ１０およびｚｅｒｏＴｘＰｏｗｅｒＳｕｂｆｒａｍｅＣｏｎｆｉｇ−ｒ１０はいずれも、一方はセルにより使用され、もう一方はミュートされた場合（すなわちゼロ電力）の、チャネル状態情報リファレンス信号（ＣＳＩ−ＲＳ）のサブフレーム構成を示す。フィールドｓｕｂｆｒａｍｅＣｏｎｆｉｇ−ｒ１０およびフィールドｚｅｒｏＴｘＰｏｗｅｒＳｕｂｆｒａｍｅＣｏｎｆｉｇ−ｒ１０はいずれも、ＩＣＳＩ−ＲＳから取得されればよい。ＩＣＳＩ−ＲＳは、２つの異なるチャネル状態情報リファレンス信号（ＣＳＩ−ＲＳ）に異なる値を有することができる。
【００７４】
一構成では、無線リソース制御（ＲＲＣ）シグナリングメッセージ３２４において最大２つのチャネル状態情報リファレンス信号（ＣＳＩ−ＲＳ）構成がユーザ機器（ＵＥ）３０４に送信されればよい。別の構成では、無線リソース制御（ＲＲＣ）シグナリングメッセージ３２４において３つ以上のチャネル状態情報リファレンス信号（ＣＳＩ−ＲＳ）構成がユーザ機器（ＵＥ）３０４に送信されればよい。
【００７５】
セル固有リファレンス信号（ＣＲＳ）は、３６．２１３物理レイヤ手順のセクション５．２に記載のダウンリンク電力配分に基づいて伝送されればよい。無線リソース制御（ＲＲＣ）シグナリングによりＰＤＳＣＨ−Ｃｏｎｆｉｇ情報要素においてダウンリンク電力配分のためのパラメータがユーザ機器（ＵＥ）３０４に伝送されればよい。リファレンス信号がセル固有リファレンス信号（ＣＲＳ）なら、ＰＤＳＣＨ−Ｃｏｎｆｉｇ情報要素にリファレンス信号伝送電力３４６が含まれうる。ＰＤＳＣＨ−Ｃｏｎｆｉｇ情報要素のサンプルコードが以下に与えられる。
【００７６】
−−ＡＳＮ１ＳＴＡＲＴ
ＰＤＳＣＨ−ＣｏｎｆｉｇＣｏｍｍｏｎ：：＝ＳＥＱＵＥＮＣＥ｛
ｒｅｆｅｒｅｎｃｅＳｉｇｎａｌＰｏｗｅｒ  ＩＮＴＥＧＥＲ（−６０．．５０），
ｐ−ｂ  ＩＮＴＥＧＥＲ（０．．３）
｝
ＰＤＳＣＨ−ＣｏｎｆｉｇＤｅｄｉｃａｔｅｄ：：＝ ＳＥＱＵＥＮＣＥ｛
ｐ−ａ  ＥＮＵＭＥＲＡＴＥＤ｛
ｄＢ−６，ｄＢ−４ｄｏｔ７７，ｄＢ−３，ｄＢ−１ｄｏｔ７７，
ｄＢ０，ｄＢ１，ｄＢ２，ｄＢ３｝
｝
−−ＡＳＮ１ＳＴＯＰ
【００７７】
ＰＤＳＣＨ−Ｃｏｎｆｉｇ情報要素において、ｐ−ａはパラメータＰＡをさす。ｄＢ−６の値は−６ｄＢに対応し、ｄＢ−４ｄｏｔ７７の値は−４．７７ｄＢに対応する、等となる。ＰＤＳＣＨ−Ｃｏｎｆｉｇ情報要素において、ｐ−ｂはパラメータＰＢをさし、ｒｅｆｅｒｅｎｃｅＳｉｇｎａｌＰｏｗｅｒは、ｄＢｍでのリソース要素あたりのダウンリンクリファレンス信号エネルギ（ＥＰＲＥ；ｅｎｅｒｇｙ  ｐｅｒ  ｒｅｓｏｕｒｃｅ  ｅｌｅｍｅｎｔ）（すなわちリファレンス信号伝送電力３４６）を提供する。リファレンス信号がセル固有リファレンス信号（ＣＲＳ）であれば、セル固有リファレンス信号（ＣＲＳ）はサービングｅＮｏｄｅ  Ｂセル固有リファレンス信号（ＣＲＳ）と異なるシーケンス３５０を有することができる。
【００７８】
３ＧＰＰのＲｅｌｅａｓｅ  ８においては、ユーザ機器（ＵＥ）３０４は、サービングセルと異なるセルＩＤを有する最大６つの隣接セルのセル固有リファレンス信号（ＣＲＳ）のシーケンスについての情報を有することができる。各隣接セルまたはポイント１１０のリファレンス信号のシーケンスは、そのセルまたはポイント１１０のセルＩＤから導出されればよい。ユーザ機器（ＵＥ）３０４は、セル固有リファレンス信号（ＣＲＳ）を用いて、隣接セルまたはポイントのリファレンス信号受信電力（ＲＳＲＰ）１２０を取得することができる。
【００７９】
ポイント（単数または複数）１１０の実装は、ユーザ機器（ＵＥ）３０４にトランスペアレントとすることができる。したがって、リファレンス信号受信電力（ＲＳＲＰ）１２０を測定する手順においては、ユーザ機器（ＵＥ）３０４は、使用される伝送アンテナポート、伝送アンテナポートのセットまたはリファレンス信号のセットについての情報だけがあればよい。ユーザ機器（ＵＥ）３０４は、アンテナポートが同じ位置に配置されているか地理的に分離されているかを知らなくてもよい。このような場合には、ユーザ機器（ＵＥ）３０４が各リファレンス信号の伝送に使用されるアンテナポートを特定のポイント１１０に関連付ける必要はない。ユーザ機器（ＵＥ）３０４が伝送リファレンス信号の構成についての情報（周期性３５６、リファレンス信号伝送のための時間−周波数リソース配分３５４、リファレンス信号シーケンス３５０および／またはリファレンス信号伝送電力３４６）を有していれば足りうる。
【００８０】
図４は、ユーザ機器（ＵＥ）１０４と複数の受信ポイント１１０との間の通信リンクのパスロスパラメータ１２２を計算する方法４００の流れ図である。ユーザ機器（ＵＥ）１０４により方法４００が実行されればよい。ユーザ機器（ＵＥ）１０４は、サービングｅＮｏｄｅ  Ｂ１０２ａから無線リソース制御（ＲＲＣ）シグナリングメッセージ３２４を受信することができる（ステップ４０２）。ユーザ機器（ＵＥ）１０４は、無線リソース制御（ＲＲＣ）シグナリングメッセージ３２４から第一セル固有リファレンス信号（ＣＲＳ）伝送電力３２６を取得することができる（ステップ４０４）。上述のように、第一セル固有リファレンス信号（ＣＲＳ）伝送電力３２６は、ユーザ機器（ＵＥ）１０４に伝送されるセル固有リファレンス信号（ＣＲＳ）の伝送電力とすることができる。ユーザ機器（ＵＥ）１０４は、無線リソース制御（ＲＲＣ）シグナリングメッセージ３２４から、１つ以上のリファレンス信号伝送電力３４６も取得することができる（ステップ４０６）。リファレンス信号伝送電力３４６は、受信ポイント１１０またはアンテナポートにより伝送される１つ以上のリファレンス信号に対応することができる。
【００８１】
ユーザ機器（ＵＥ）１０４は、サービングｅＮｏｄｅ  Ｂ１０２により伝送されたサービングｅＮｏｄｅ  Ｂセル固有リファレンス信号（ＣＲＳ）の受信電力（すなわちリファレンス信号受信電力（ＲＳＲＰ）１２０）を測定することができる（ステップ４０８）。ユーザ機器（ＵＥ）１０４は、１つ以上の追加のリファレンス信号の受信電力（すなわちリファレンス信号受信電力（ＲＳＲＰ）１２０）も測定することができる（ステップ４１０）。１つ以上の追加のリファレンス信号は、１つ以上のポイント１１０またはアンテナポートにより伝送されればよい。ユーザ機器（ＵＥ）１０４は、第一セル固有リファレンス信号（ＣＲＳ）に対応するパスロスパラメータ１２２を計算することができる（ステップ４１２）。ユーザ機器（ＵＥ）１０４は、１つ以上の追加のリファレンス信号に対応するパスロスパラメータ（単数または複数）１２２も計算することができる（ステップ４１４）。ユーザ機器（ＵＥ）１０４は、第一セル固有リファレンス信号（ＣＲＳ）に対応するパスロスパラメータ１２２および１つ以上の追加のリファレンス信号に対応するパスロスパラメータ１２２を用いて、複数ポイント受信のアップリンク電力配分を決定することができる（ステップ４１６）。
【００８２】
図５は、リファレンス信号に対応するパスロスパラメータ１２２を計算する方法５００の流れ図である。ユーザ機器（ＵＥ）１０４により方法５００が実行されればよい。ユーザ機器（ＵＥ）１０４は、無線リソース制御（ＲＲＣ）シグナリングを介してリファレンス信号を伝送したポイント１１０またはアンテナポートに対応するリファレンス信号伝送電力３４６を受信することができる（ステップ５０２）。サービングｅＮｏｄｅ  Ｂ１０２ａからリファレンス信号伝送電力３４６が受信されればよい。ユーザ機器（ＵＥ）１０４は、ポイント１１０またはアンテナポートから既知のリファレンス信号を受信することができる（ステップ５０４）。既知のリファレンス信号は、セル固有リファレンス信号（ＣＲＳ）またはチャネル状態情報リファレンス信号（ＣＳＩ−ＲＳ）とすることができる。
【００８３】
ユーザ機器（ＵＥ）１０４は、リファレンス信号のリファレンス信号受信電力（ＲＳＲＰ）１２０を測定することができる（ステップ５０６）。一構成では、ユーザ機器（ＵＥ）１０４は、セル固有リファレンス信号（ＣＲＳ）が伝送される時間−周波数グリッドで予め指定されたアンテナポート（または空間次元）でリファレンス信号受信電力（ＲＳＲＰ）１２０を測定することができる（ステップ５０６）。それからユーザ機器（ＵＥ）１０４は、リファレンス信号伝送電力３４６およびリファレンス信号受信電力（ＲＳＲＰ）１２０を用いてポイント１１０またはアンテナポートとユーザ機器（ＵＥ）１０４との間の通信リンクのパスロスパラメータを計算することができる（ステップ５０８）。リファレンス信号受信電力（ＲＳＲＰ）１２０およびリファレンス信号伝送電力３４６の両方がワットなら、リファレンス信号伝送電力３４６をリファレンス信号受信電力（ＲＳＲＰ）１２０で割ったものとしてパスロスパラメータＰＬｃ１２２が求められる。リファレンス信号受信電力（ＲＳＲＰ）１２０およびリファレンス信号伝送電力３４６の両方がｄＢなら、ＰＬｃ＝１０（ＲＳＴ＊ＲＳＲＰ）／１０であり、ＲＳＴはリファレンス信号伝送電力３４６である。
【００８４】
図６は、受信ポイント１１０またはアンテナポートにより伝送される１つ以上のリファレンス信号に対応するリファレンス信号伝送電力１１４をユーザ機器（ＵＥ）１０４に提供する方法６００の流れ図である。サービングｅＮｏｄｅ  Ｂ２０２により方法６００が実行されればよい。一構成では、ユーザ機器（ＵＥ）１０４にリファレンス信号を伝送する全てのポイント１１０がサービングｅＮｏｄｅ  Ｂ１０２ａにより制御されればよい。したがって、サービングｅＮｏｄｅ  Ｂ１０２ａに全ての情報がある。別の構成では、ユーザ機器（ＵＥ）１０４にリファレンス信号を伝送するポイント１１０の一部が、協働ｅＮｏｄｅ  Ｂ１０２ｂ（または複数の協働ｅＮｏｄｅ  Ｂ１０２ｂ）により制御されればよい。ユーザ機器（ＵＥ）１０４にリファレンス信号を伝送するポイント１１０の一部が協働ｅＮｏｄｅ  Ｂ１０２ｂにより制御される場合、サービングｅＮｏｄｅ  Ｂ１０２ａは協働ｅＮｏｄｅ  Ｂ１０２ｂから１つ以上のリファレンス信号伝送電力１１４を受信することができる（ステップ６０２）。一構成では、サービングｅＮｏｄｅ  Ｂ１０２ａは、サービングｅＮｏｄｅ  Ｂ１０２ａと協働ｅＮｏｄｅ  Ｂ１０２ｂとの間のバックホールインタフェース１４４を介して１つ以上のリファレンス信号伝送電力１１４を受信することができる（ステップ６０２）。
【００８５】
サービングｅＮｏｄｅ  Ｂ１０２ａは、１つ以上のリファレンス信号伝送電力３４６（および各リファレンス信号に関連した他の情報）および第一セル固有リファレンス信号（ＣＲＳ）を含む無線リソース制御（ＲＲＣ）シグナリングメッセージ３２４を生成することができる（ステップ６０４）。そしてサービングｅＮｏｄｅ  Ｂ１０２ａは、無線リソース制御（ＲＲＣ）シグナリングメッセージ３２４をユーザ機器（ＵＥ）１０４に送信することができる（ステップ６０８）。
【００８６】
図７は、ユーザ機器（ＵＥ）７０４により使用されるレイヤを示したブロック図である。図７のユーザ機器（ＵＥ）７０４は、図１のユーザ機器（ＵＥ）１０４の一構成とすることができる。ユーザ機器（ＵＥ）７０４は、無線リソース制御（ＲＲＣ）レイヤ７４７、無線リンク制御（ＲＬＣ）レイヤ７４９、媒体アクセス制御（ＭＡＣ）レイヤ７５１および物理（ＰＨＹ）レイヤ７５３を含みうる。これらのレイヤは、上位レイヤ２３５とも呼称される。ユーザ機器（ＵＥ）７０４は、図７に示されない追加のレイヤを含みうる。
【００８７】
図８は、１つのｅＮｏｄｅ  Ｂ８０２と同じセルＩＤを有する複数ポイント協調（ＣｏＭＰ）ポイント８１０ａ〜ｅとを備えたワイヤレス通信システム８００を示したブロック図である。ワイヤレス通信システム８００は、ユーザ機器（ＵＥ）８０４と通信するｅＮｏｄｅ  Ｂ８０２を１つだけ含みうる。したがってｅＮｏｄｅ  Ｂ８０２は、ユーザ機器（ＵＥ）８０４のサービングｅＮｏｄｅ  Ｂ８０２とすることができる。ｅＮｏｄｅ  Ｂ８０２は、複数のアンテナを含みうる物理構造である。一部のアンテナはｅＮｏｄｅ  Ｂ８０２と同じ位置に配置されてもよく、他のアンテナは地理的に分離される。同じ位置に配置されたアンテナおよび地理的に分離されたアンテナの両方が、ポイント８１０とも呼称される。ベースバンド処理およびスケジューリング等、ワイヤレス通信システム８００の処理の多くがｅＮｏｄｅ  Ｂ８０２で実行される。
【００８８】
ｅＮｏｄｅ  Ｂ８０２は、１つ以上のセルを有することができる。セクタ化においては、各セクタがセルとすることができる。キャリアアグリゲーションにおいては、各コンポーネントキャリアがセルである。各ポイント８１０は、主に無線周波数（ＲＦ；ｒａｄｉｏ  ｆｒｅｑｕｅｎｃｙ）伝送に関係する限定的機能を有することができる。この構成では、ポイント８１０は同じセルＩＤを有するため、各ポイントがサービングセル８２８と関連する。
【００８９】
プライマリセルは、プライマリ周波数で動作し、ユーザ機器（ＵＥ）８０４が初期接続確立手順を実行しまたは接続再確立手順を開始するセルである。プライマリセルは、ハンドオーバ手順においてプライマリセルとして指示されるセルとすることもできる。セカンダリセルは、セカンダリ周波数で動作し、追加の無線リソースを提供するために使用されればよい。ＲＲＣ接続が確立された後、セカンダリセルが構成されればよい。
【００９０】
キャリアアグリゲーションを備えずに構成されるＲＲＣ＿ＣＯＮＮＥＣＴＥＤのユーザ機器（ＵＥ）８０４では、１つのサービングセル８２８だけが存在してもよい（そしてこのサービングセル８２８がプライマリセルである）。キャリアアグリゲーションを備えて構成されるＲＲＣ＿ＣＯＮＮＥＣＴＥＤのユーザ機器（ＵＥ）８０４では、サービングセル８２８は、プライマリセルおよび全てのセカンダリセルを含む１つ以上のセルのセットをさすために用いられる。
【００９１】
キャリアアグリゲーションが構成される場合には、ユーザ機器（ＵＥ）８０４は、ネットワークとの１つのＲＲＣ接続だけを有することができる。ＲＲＣ接続確立／再確立／ハンドオーバにおいて、１つのサービングセル８２８がＮＡＳモビリティ情報を提供することができる。このサービングセル８２８は、プライマリセルとも呼称される。プライマリセルとともにサービングセル８２８のセットを形成するためにセカンダリセルが構成されればよい。複数ポイント協調（ＣｏＭＰ）では、キャリアアグリゲーションが構成される場合、複数のサービングセル８２８が存在し得、各サービングセルのキャリア周波数においてポイント８１０間の協調が生じうる。図８、図９および図１０は、１つのキャリア周波数に注目する。
【００９２】
機能レベルでは、サービングセル８２８は、物理報知チャネル（ＰＢＣＨ）８７１、ＵＥ固有制御８７２およびデータ８７３を含みうる。この構成においてポイント８１０ａは、ユーザ機器（ＵＥ）８０４のサービングポイント（ポイント８１０ａは物理報知チャネル（ＰＢＣＨ）８７１を伝送するため）およびＣｏＭＰ伝送ポイント（ポイント８１０ａはデータ８７３を伝送するため）の両方として働きうる。追加のサービングポイントが存在してもよい（図示せず）。ポイント８１０ｄは、ユーザ機器（ＵＥ）８０４の制御ポイント（ポイント８１０ｄはＵＥ固有制御８７２を伝送するため）およびＣｏＭＰ伝送ポイント８３４ｂ（ポイント８１０ｄはデータ８７３を伝送するため）の両方として働きうる。追加の制御ポイントが存在してもよい（図示せず）。
【００９３】
非複数ポイント協調（ＣｏＭＰ）伝送においては、複数のサービングポイント８１０があり、そこからユーザ機器（ＵＥ）８０４が物理報知チャネル（ＰＢＣＨ）８７１を受信することができるが、１つのポイント８１０だけがユーザ機器（ＵＥ）８０４への物理ダウンリンクシェアドチャネル（ＰＤＳＣＨ）の伝送に関与することもできる。サービングｅＮｏｄｅ  Ｂ８０２は、ユーザ機器（ＵＥ）８０４への物理ダウンリンクシェアドチャネル（ＰＤＳＣＨ）の伝送にどのポイント８１０が使用されるかを決定することができる。この決定は、ユーザ機器（ＵＥ）８０４にトランスペアレントであってもなくてもよい。
【００９４】
物理ダウンリンク制御チャネル（ＰＤＣＣＨ）および物理ダウンリンクシェアドチャネル（ＰＤＳＣＨ）の伝送を考えるとき、サービングポイントは制御ポイントと呼称される。
【００９５】
複数ポイント協調（ＣｏＭＰ）伝送においては、複数のポイント８１０が互いに協調してユーザ機器（ＵＥ）８０４への伝送を行う。ユーザ機器（ＵＥ）８０４へのダウンリンク１０６でデータ８７３を伝送するポイント８１０は、複数ポイント協調（ＣｏＭＰ）伝送ポイントとも呼称される。ユーザ機器（ＵＥ）８０４からのアップリンク１０８で受信するポイント８１０は、ＣｏＭＰ受信ポイントとも呼称される（図示せず）。ポイント８１０ｂ、８１０ｄおよび８１０ｅは、他のユーザ機器（ＵＥ）１０４への伝送に使用されでもよい。
【００９６】
図８においては、ダウンリンク複数ポイント協調（ＣｏＭＰ）伝送だけが示される。しかし、類似のモデルを用いてアップリンク複数ポイント協調（ＣｏＭＰ）受信を示すこともできる。このモデルでは、一部のポイント８１０は、受信ポイント８１０として動作することができる。受信ポイント８１０は、ユーザ機器（ＵＥ）８０４からアップリンク伝送を受信することができる。
【００９７】
図９は、１つのｅＮｏｄｅ  Ｂ９０２と異なるセルＩＤを有することができる複数ポイント協調（ＣｏＭＰ）ポイント９１０ａ〜ｅとを備えたワイヤレス通信システム９００を示したブロック図である。１つのｅＮｏｄｅ  Ｂ９０２は、ユーザ機器（ＵＥ）９０４のサービングｅＮｏｄｅ  Ｂ９０２とすることができる。サービングｅＮｏｄｅ  Ｂ９０２は、サービングセル９２８とセル９３０との２つのセルを有することができる。ポイント９１０ａ〜ｃは、サービングセル９２８と関連することができる。ポイント９１０ｄ〜ｅは、セル９３０と関連することができる。セル９３０は、協働セル、協同セルまたは支持セルとも呼称される。セル９３０は、サービングセル９２８と同じキャリア周波数であればよく、サービングセル９２８と協調することができる。
【００９８】
ポイント９１０ａは、サービングポイントおよびＣｏＭＰ伝送ポイントの両方とすることができる。ポイント９１０ｄは、ＣｏＭＰ伝送ポイントだけであり得、サービングポイントまたは制御ポイントにはなることができない（ポイント９１０ｄはサービングセル９２８ではなくセル９３０と関連するため）。他のポイント９１０ｂ、９１０ｃ、９１０ｅは、他のユーザ機器（ＵＥ）１０４への伝送に使用されてもよい。
【００９９】
図１０は、複数のｅＮｏｄｅ  Ｂ１００２ａ〜ｂと異なるセルＩＤを有する複数ポイント協調（ＣｏＭＰ）ポイント１０１０ａ〜ｅとを備えたワイヤレス通信システム１０００を示したブロック図である。ワイヤレス通信システム１０００は、ユーザ機器（ＵＥ）１００４と通信する複数のｅＮｏｄｅ  Ｂ１００２ａ〜ｂを含みうる。第一ｅＮｏｄｅ  Ｂ１００２ａはサービングｅＮｏｄｅ  Ｂ１００２ａであり得、第二ｅＮｏｄｅ  Ｂ１００２ｂは協働ｅＮｏｄｅ  Ｂ１００２ｂである。第一ｅＮｏｄｅ  Ｂ１００４ａおよび第二ｅＮｏｄｅ  Ｂ１００２ｂは、必要な情報を交換するためにＸ２バックホールインタフェース１０４４を使用することができる。
【０１００】
サービングｅＮｏｄｅ  Ｂ１００２ａは、サービングセル１０２８を含みうる。サービングｅＮｏｄｅ  Ｂ１００２ａは、図示されない追加のセルを含みうる。３つのポイント１０１０ａ〜ｃは、サービングセル１０２８に関連する。協働ｅＮｏｄｅ  Ｂ１００２ｂは、セル１０３０を含みうる。セル１０３０は、協働セル、協同セルまたは支持セルとも呼称される。セル１０３０は、サービングセル１０２８と同じキャリア周波数を使用すればよく、サービングセル１０２８と協調することができる。２つのポイント１０１０ｄ〜ｅは、セル１０３０に関連する。ポイント１０１０ａ〜ｃは、ポイント１０１０ｄ〜ｅと異なるセルＩＤを有することができる。
【０１０１】
ポイント１０１０ａは、サービングポイントおよびＣｏＭＰ伝送ポイントの両方とすることができる。ポイント１０１０ｄは、ＣｏＭＰ伝送ポイントだけである（サービングポイントまたは制御ポイントにはなることができない）。ポイント１０１０ｂ、１０１０ｃおよび１０１０ｅは、他のユーザ機器（ＵＥ）１０４への伝送に使用されてもよい。
【０１０２】
図１１は、ユーザ機器（ＵＥ）１１０４において利用されるとよい様々な構成要素を示す。ユーザ機器（ＵＥ）１１０４は、先に示したユーザ機器（ＵＥ）１０４として利用されればよい。ユーザ機器（ＵＥ）１１０４は、ユーザ機器（ＵＥ）１１０４の動作を制御するプロセッサ１１５４を含む。プロセッサ１１５４は、ＣＰＵとも呼称されればよい。メモリ１１７４は、読取り専用メモリ（ＲＯＭ）、ランダムアクセスメモリ（ＲＡＭ）の両方または情報を記憶することができる任意のタイプのデバイスを含むことができ、プロセッサ１１５４に命令１１５６ａおよびデータ１１５８ａを提供する。メモリ１１７４の一部は、不揮発性ランダムアクセスメモリ（ＮＶＲＡＭ）も含みうる。命令１１５６ｂおよびデータ１１５８ｂは、プロセッサ１１５４内にもありうる。プロセッサ１１５４にロードされた命令１１５６ｂおよび／またはデータ１１５８ｂは、プロセッサ１１５４による実行または処理のためにロードされたメモリ１１７４からの命令１１５６ａおよび／またはデータ１１５８ａも含みうる。本明細書に開示されるシステムおよび方法を実装するために、プロセッサ１１５４により命令１１５６ｂが実行されればよい。
【０１０３】
ユーザ機器（ＵＥ）１１０４は、データの伝送および受信を可能にするために伝送器１１７２および受信器１１７３を含むハウジングも含みうる。伝送器１１７２および受信器１１７３は、トランシーバ１１７１に組み合わせられうる。１つ以上のアンテナ１１９９ａ〜ｎがハウジングに取り付けられ、トランシーバ１１７１に電気的に結合される。
【０１０４】
ユーザ機器（ＵＥ）１１０４の様々な構成要素が、バスシステム１１７７により一緒に連結され、これにはデータバスに加えて、パワーバス、制御信号バス、およびステータス信号バスが含まれうる。しかし、明確のため、図１１においては様々なバスがバスシステム１１７７として示される。ユーザ機器（ＵＥ）１１０４は、信号処理に用いられるデジタル信号プロセッサ（ＤＳＰ）１１７５も含みうる。ユーザ機器（ＵＥ）１１０４は、ユーザ機器（ＵＥ）１１０４の機能に対するユーザアクセスを提供する通信インタフェース１１７６も含みうる。図１１に示したユーザ機器（ＵＥ）１１０４は、特定の構成要素のリストではなく機能ブロック図である。
【０１０５】
図１２は、ｅＮｏｄｅ  Ｂ１２０２において利用されるとよい様々な構成要素を示す。ｅＮｏｄｅ  Ｂ１２０２は、先に示したポイント１１０を制御することができる。ｅＮｏｄｅ  Ｂ１２０２は、プロセッサ１２７８、プロセッサ１２７８に命令１２７９ａおよびデータ１２８０ａを提供するメモリ１２８６、プロセッサ１２７８内にありまたはこれにロードされればよい命令１２７９ｂおよびデータ１２８０ｂ、（トランシーバ１２８１に組み合わされればよい）伝送器１２８２と受信器１２８４とを含むハウジング、トランシーバ１２８１に電気的に結合された１つ以上のアンテナ１２９７ａ〜ｎ、バスシステム１２９２、信号処理に用いられるＤＳＰ１２８８、通信インタフェース１２９０等を含めて、ユーザ機器（ＵＥ）１１０４に関して上述した構成要素と同様の構成要素を含みうる。
【０１０６】
特に明記しない限り、以上における「／」の使用は、「および／または」の語句を表す。
【０１０７】
本明細書に記載される機能は、ハードウェア、ソフトウェア、ファームウェアまたはその任意の組み合わせにおいて実装されればよい。ソフトウェアで実装される場合、機能は１つ以上の命令としてコンピュータ可読媒体に記憶されればよい。「コンピュータ可読媒体」という用語は、コンピュータまたはプロセッサがアクセスすることができる任意の利用可能な媒体をいう。本明細書で用いられるところの「コンピュータ可読媒体」という用語は、固定有形のコンピュータおよび／またはプロセッサ可読媒体を意味することができる。限定ではなく例として、コンピュータ可読またはプロセッサ可読媒体は、ＲＡＭ、ＲＯＭ、ＥＥＰＲＯＭ、ＣＤ−ＲＯＭもしくは他の光学ディスク記憶装置、磁気ディスク記憶装置もしくは他の磁気記憶デバイスまたは命令もしくはデータ構造の形で所望のプログラムコードを担持または記憶するために使用でき、コンピュータまたはプロセッサがアクセスすることができる任意の他の媒体を含みうる。本明細書で用いられるところのディスク（Ｄｉｓｋ）およびディスク（ｄｉｓｃ）は、コンパクトディスク（ＣＤ）、レーザーディスク、光ディスク、デジタル多用途ディスク（ＤＶＤ）、フロッピーディスクおよびブルーレイ（登録商標）ディスクを含み、ディスク（ｄｉｓｋ）は通常磁気によりデータを再現し、ディスク（ｄｉｓｃ）はレーザで光学的にデータを再現する。ハードウェアで実装される場合、本明細書に記載の機能は、チップセット、特定用途向け集積回路（ＡＳＩＣ）、大規模集積回路（ＬＳＩ）、集積回路等を使用して実装および／または実現されればよい。
【０１０８】
本明細書において開示される方法の各々には、記載された方法を達成するための１つ以上のステップまたはアクションが含まれる。方法ステップおよび／またはアクションは、請求の範囲を逸脱することなく交換され、および／または１つのステップに組み合わされてもよい。換言すれば、記載される方法の適切な動作のためにステップまたはアクションの特定の順序が必要とされない限り、特定のステップおよび／またはアクションの順序および／または使用は、請求の範囲を逸脱することなく修正されてもよい。
【０１０９】
本明細書において用いられるところの「決定」という用語は、多種多様なアクションを包含し、したがって「決定」には、計算、コンピューティング、処理、導出、調査、検索（例えばテーブル、データベースまたは別のデータ構造の検索）、確認等を含みうる。また、「決定」には受信（例えば情報の受信）、アクセス（例えばメモリのデータへのアクセス）などを含みうる。また、「決定」には、解決、選択、選定、確立などを含みうる。
【０１１０】
明示的に別段の定めがない限り、「に基づく」という語句は「のみに基づく」を意味しない。換言すれば、「に基づく」という語句は、「のみに基づく」と「少なくとも〜に基づく」の両方を表す。
【０１１１】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するものとして広く解釈されねばならない。一部の状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことができる。「プロセッサ」という用語は、処理デバイスの組み合わせ、例えばＤＳＰとマイクロプロセッサとの組み合わせ、複数のマイクロプロセッサ、ＤＳＰコアを備えた１つ以上のマイクロプロセッサ、または任意の他のそのような構成を指すことができる。
【０１１２】
「メモリ」という用語は、電子情報を記憶できる任意の電子構成要素を包含するものとして広く解釈されねばならない。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタ等、様々なタイプのプロセッサ可読媒体を指すことができる。プロセッサがメモリから情報を読み取りおよび／またはメモリに情報を書き込むことができる場合、メモリはプロセッサと電子通信していると言われる。メモリはプロセッサと一体化されることができ、なおプロセッサと電子通信していると言うことができる。
【０１１３】
「命令」および「コード」という用語は、任意のタイプのコンピュータ可読ステートメント（単数または複数）を含むものとして広く解釈されねばならない。例えば、「命令」および「コード」という用語は、１つ以上のプログラム、ルーチン、サブルーチン、関数、手続きなどを指すことができる「命令」および「コード」は、１つのコンピュータ可読ステートメントまたは多数のコンピュータ可読ステートメントを含みうる。
【０１１４】
ソフトウェアまたは命令は、伝送媒体を介して伝送されることもできる。例えば、ソフトウェアが、ウェブサイト、サーバ、または他のリモートソースから同軸ケーブル、光ファイバケーブル、ツイストペア、デジタル加入者回線（ＤＳＬ）または赤外線、無線、およびマイクロ波等のワイヤレス技術を使用して伝送される場合には、同軸ケーブル、光ファイバケーブル、ツイストペア、ＤＳＬ、または赤外線、無線、およびマイクロ波等のワイヤレス技術が、伝送媒体の定義に含まれる。
【０１１５】
特許請求の範囲は、上述の正確な構成および構成要素に限定されないことを理解されたい。請求の範囲を逸脱することなく、本明細書に記載のシステム、方法、および装置の設定、動作および詳細につき様々な修正、変更および変形がなされてもよい。
【図１】
2014527727.tif 000004
【図２】
2014527727.tif 000005
【図３】
2014527727.tif 000006
【図４】
2014527727.tif 000007
【図５】
2014527727.tif 000008
【図６】
2014527727.tif 000009
【図７】
2014527727.tif 000010
【図８】
2014527727.tif 000011
【図９】
2014527727.tif 000012
【図１０】
2014527727.tif 000013
【図１１】
2014527727.tif 000014
【図１２】
2014527727.tif 000015
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によりセル固有リファレンス信号（ＣＲＳ）に関係する情報を取得する方法であり、
サービングｅＮｏｄｅ  Ｂから無線リソース制御（ＲＲＣ）シグナリングメッセージを受信するステップと；
前記ＲＲＣシグナリングメッセージから前記ＣＲＳに配分される周波数リソースを取得するステップと
を含む、方法。
【請求項２】
セル固有リファレンス信号（ＣＲＳ）に関係する情報を取得するために構成されるユーザ機器（ＵＥ）であり、
プロセッサと；
前記プロセッサと電子通信するメモリと；
前記メモリに記憶される命令であり、
サービングｅＮｏｄｅ  Ｂから無線リソース制御（ＲＲＣ）シグナリングメッセージを受信し；
前記ＲＲＣシグナリングメッセージから前記ＣＲＳに配分される周波数リソースを取得する
ために実行可能である、命令と
を含む、ユーザ機器（ＵＥ）。
【請求項３】
サービングｅＮｏｄｅ  Ｂによりセル固有リファレンス信号（ＣＲＳ）に関係する情報をシグナリングする方法であり、
ＣＲＳに配分される周波数リソースを含む無線リソース制御（ＲＲＣ）シグナリングメッセージを生成するステップと；
ユーザ機器（ＵＥ）に前記ＲＲＣシグナリングメッセージを送信するステップと
を含む、方法。
【請求項４】
セル固有リファレンス信号（ＣＲＳ）に関係する情報をシグナリングするために構成される装置であり、
プロセッサと；
前記プロセッサと電子通信するメモリと；
前記メモリに記憶される命令であり、
ＣＲＳの周波数リソース配分を含む無線リソース制御（ＲＲＣ）シグナリングメッセージを生成し；
ユーザ機器（ＵＥ）に前記ＲＲＣシグナリングメッセージを送信する
ために実行可能である、命令と
を含む、装置。
【国際調査報告】
2014527727.tif 000016
2014527727.tif 000017